(57)【特許請求の範囲】
【請求項１】
無線通信システムにおけるＵＥ（Ｕｓｅｒ  Ｅｑｕｉｐｍｅｎｔ）により実行されるシグナリング方法であって、前記方法は、
第１のＵＥ発の指示の送信と関連して禁止タイマを開始することと、
ネットワークからハンドオーバ指示メッセージを受信することでハンドオーバを実行することと、
前記ハンドオーバが完了した後に前記禁止タイマを再開始することと
を含み、
前記禁止タイマの動作中には、別のＵＥ発の指示の送信が制限される、方法。
【請求項２】
前記方法は、前記ハンドオーバが完了した後に第２のＵＥ発の指示子を送信することをさらに含み、前記禁止タイマの再開始は、前記第２のＵＥ発の指示によって実行される、請求項１に記載の方法。
【請求項３】
前記第２のＵＥ発の指示の送信は、前記第１のＵＥ発の指示が前記ハンドオーバ指示メッセージの受信時点以前の１秒区間内に送信されると実行される、請求項２に記載の方法。
【請求項４】
前記第２のＵＥ発の指示が低パワー消費動作及び一般パワー消費動作のうちの前記一般パワー消費動作を指示すると、前記禁止タイマが再開始される、請求項３に記載の方法。
【請求項５】
前記方法は、ＵＥ発の指示設定を受信することをさらに含み、前記ＵＥ発の指示設定は、前記ＵＥが前記ＵＥ発の指示を提供するように設定されることを指示し、前記ＵＥ発の指示設定は、禁止タイマ設定値を含み、前記開始される禁止タイマは、前記ＵＥ発の指示設定の前記禁止タイマ設定値に設定される、請求項１に記載の方法。
【請求項６】
前記方法は、
ＲＲＣ（Ｒａｄｉｏ  Ｒｅｓｏｕｒｃｅ  Ｃｏｎｔｒｏｌ）接続再確立手順を開始することと、
前記ＲＲＣ接続再確立手順が開始されると前記禁止タイマを中断することと
をさらに含む、請求項１に記載の方法。
【請求項７】
無線通信システムで動作するＵＥ（Ｕｓｅｒ  Ｅｑｕｉｐｍｅｎｔ）であって、前記ＵＥは、
無線信号を送信及び受信するＲＦ（Ｒａｄｉｏ  Ｆｒｅｑｕｅｎｃｙ）部と、
前記ＲＦ部と作用可能に結合されたプロセッサと
を含み、前記プロセッサは、
第１のＵＥ発の指示の送信と関連して禁止タイマを開始することと、
ネットワークからハンドオーバ指示メッセージを受信することでハンドオーバを実行することと、
前記ハンドオーバが完了した後に前記禁止タイマを再開始することと
を実行するように設定され、
前記禁止タイマの動作中には、別のＵＥ発の指示の送信が制限される、ＵＥ。
【請求項８】
前記プロセッサは、前記ハンドオーバが完了した後に第２のＵＥ発の指示子を送信するように設定され、前記禁止タイマの再開始は、前記第２のＵＥ発の指示によって実行される、請求項７に記載のＵＥ。
【請求項９】
前記第２のＵＥ発の指示の送信は、前記第１のＵＥ発の指示が前記ハンドオーバ指示メッセージの受信時点以前の１秒区間内に送信されると実行される、請求項８に記載のＵＥ。
【請求項１０】
前記第２のＵＥ発の指示が低パワー消費動作及び一般パワー消費動作のうちの前記一般パワー消費動作を指示すると、前記禁止タイマが再開始される、請求項９に記載のＵＥ。
【請求項１１】
前記プロセッサは、ＵＥ発の指示設定を受信するように設定され、前記ＵＥ発の指示設定は、前記ＵＥが前記ＵＥ発の指示を提供するように設定されることを指示し、前記ＵＥ発の指示設定は、禁止タイマ設定値を含み、前記開始される禁止タイマは、前記ＵＥ発の指示設定の前記禁止タイマ設定値に設定される、請求項７に記載のＵＥ。
【請求項１２】
前記プロセッサは、
ＲＲＣ（Ｒａｄｉｏ  Ｒｅｓｏｕｒｃｅ  Ｃｏｎｔｒｏｌ）接続再確立手順を開始することと、
前記ＲＲＣ接続再確立手順が開始されると前記禁止タイマを中断することと
を実行するように設定される、請求項７に記載のＵＥ。
【発明の詳細な説明】
【技術分野】
【０００１】
本発明は、無線通信に関し、より詳しくは、無線通信システムにおいて、端末により実行されるシグナリング方法及びこれをサポートする装置に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の向上である３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、３ＧＰＰリリース（ｒｅｌｅａｓｅ）８で紹介されている。３ＧＰＰ  ＬＴＥは、ダウンリンクでＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）を使用し、アップリンクでＳＣ−ＦＤＭＡ（Ｓｉｎｇｌｅ  Ｃａｒｒｉｅｒ−ｆｒｅｑｕｅｎｃｙ  ｄｉｖｉｓｉｏｎ  ｍｕｌｔｉｐｌｅ  ａｃｃｅｓｓ）を使用する。最大４個のアンテナを有するＭＩＭＯ（ｍｕｌｔｉｐｌｅ  ｉｎｐｕｔ  ｍｕｌｔｉｐｌｅ  ｏｕｔｐｕｔ）を採用する。最近、３ＧＰＰ  ＬＴＥの進化である３ＧＰＰ  ＬＴＥ−Ａ（ＬＴＥ−Ａｄｖａｎｃｅｄ）に対する議論が進行中である。
【０００３】
ネットワークは、端末の運営環境、提供を受けることを希望するサービスと関連した情報など、端末関連情報を含む端末発の指示子（ＵＥ−ｏｒｉｇｉｎａｔｅｄ  ｉｎｄｉｃａｔｉｏｎ）の送信を可能にする。端末発の指示子を介して端末関連情報を取得すると、ネットワークは、端末関連情報で提供された周波数及び／またはセル情報に基づいて端末の移動や、端末が特定サービスの提供を受けるように運営することができる。
【０００４】
端末により提供される端末発の指示子は、前記のような効用性を有するが、頻繁に送信される場合、無線リソース活用の非効率性を引き起こすおそれもある。これを防止するために、禁止タイマ（ｐｒｏｈｉｂｉｔ  ｔｉｍｅｒ）を適用することで、タイマが駆動中には、端末が端末発の指示子を送信することができないように設定することができる。一方、端末がセル間移動中に端末発の指示子の送信を制約する禁止タイマをどのような方式にハンドリングするかどうかに対する考慮が必要である。
【発明の概要】
【発明が解決しようとする課題】
【０００５】
本発明が解決しようとする技術的課題は、無線通信システムにおけるシグナリング方法とこれをサポートする装置を提供することである。
【課題を解決するための手段】
【０００６】
一態様において、無線通信システムにおける端末により実行されるシグナリング方法が提供される。前記方法は、第１の端末発の指示子の送信と関連して禁止タイマを開始し、及びネットワークからハンドオーバ指示メッセージを受信すると、前記禁止タイマを再開始することを含む。
【０００７】
前記禁止タイマが動作中には、端末発の指示子の送信が制限される。
【０００８】
前記方法は、前記ハンドオーバ指示メッセージを受信することでハンドオーバを実行することをさらに含む。前記禁止タイマを再開始することは、前記ハンドオーバが完了した後に実行される。
【０００９】
前記方法は、前記ハンドオーバが完了した後、第２の端末発の指示子を送信することをさらに含む。前記禁止タイマを再開始することは、前記第２の端末発の指示子によって実行される。
【００１０】
前記第２の端末発の指示子を送信することは、前記第１の端末発の指示子が前記ハンドオーバ指示メッセージの受信時点以前の１秒区間内に送信されると実行される。
【００１１】
前記第２の端末発の指示子が一般運営を指示すると、前記禁止タイマが再開始される。
【００１２】
前記方法は、端末発の指示子設定を受信することをさらに含む。前記端末発の指示子設定は、前記端末が端末発の指示子を提供するように設定される。前記端末発の指示子設定は、禁止タイマ設定値をさらに含む。前記開始される禁止タイマは、前記端末発の指示子設定の前記禁止タイマ設定値に設定される。
【００１３】
前記方法は、ＲＲＣ接続再確立手順を開始し、及び前記ＲＲＣ接続再確立手順の開始によって前記禁止タイマを中断することをさらに含む。
【００１４】
他の態様において、無線通信システムで動作する端末が提供される。前記端末は、無線信号を送信及び受信するＲＦ（Ｒａｄｉｏ  Ｆｒｅｑｕｅｎｃｙ）部、及び前記ＲＦ部と機能的に結合して動作するプロセッサを含む。前記プロセッサは、第１の端末発の指示子の送信と関連して禁止タイマを開始し、及びネットワークからハンドオーバ指示メッセージを受信すると、前記禁止タイマを再開始するように設定される。
本明細書は、例えば、以下の項目も提供する。
（項目１）
無線通信システムにおける端末により実行されるシグナリング方法において、
第１の端末発の指示子の送信と関連して禁止タイマを開始し；及び、
ネットワークからハンドオーバ指示メッセージを受信すると、前記禁止タイマを再開始すること；を含むことを含むシグナリング方法。
（項目２）
前記禁止タイマが動作中には、端末発の指示子の送信が制限されることを特徴とする項目１に記載のシグナリング方法。
（項目３）
前記方法は、前記ハンドオーバ指示メッセージを受信することでハンドオーバを実行することをさらに含み、前記禁止タイマを再開始することは、前記ハンドオーバが完了した後に実行されることを特徴とする項目１に記載のシグナリング方法。
（項目４）
前記方法は、前記ハンドオーバが完了した後、第２の端末発の指示子を送信することをさらに含み、前記禁止タイマを再開始することは、前記第２の端末発の指示子によって実行されることを特徴とする項目３に記載のシグナリング方法。
（項目５）
前記第２の端末発の指示子を送信することは、前記第１の端末発の指示子が前記ハンドオーバ指示メッセージの受信時点以前の１秒区間内に送信されると実行されることを特徴とする項目４に記載のシグナリング方法。
（項目６）
前記第２の端末発の指示子が一般運営を指示すると、前記禁止タイマが再開始されることを特徴とする項目５に記載のシグナリング方法。
（項目７）
前記方法は、端末発の指示子設定を受信することをさらに含み、前記端末発の指示子設定は、前記端末が端末発の指示子を提供するように設定されることを指示し、前記端末発の指示子設定は、禁止タイマ設定値をさらに含み、前記開始される禁止タイマは、前記端末発の指示子設定の前記禁止タイマ設定値に設定されることを特徴とする項目１に記載のシグナリング方法。
（項目８）
前記方法は、ＲＲＣ接続再確立手順を開始し；及び、前記ＲＲＣ接続再確立手順の開始によって前記禁止タイマを中断すること；をさらに含むことを特徴とする項目１に記載のシグナリング方法。
（項目９）
無線通信システムで動作する端末において、前記端末は、
無線信号を送信及び受信するＲＦ（Ｒａｄｉｏ  Ｆｒｅｑｕｅｎｃｙ）部；及び、
前記ＲＦ部と機能的に結合して動作するプロセッサ；を含み、前記プロセッサは、
第１の端末発の指示子の送信と関連して禁止タイマを開始し、及び
ネットワークからハンドオーバ指示メッセージを受信すると、前記禁止タイマを再開始するように設定されることを特徴とする端末。
（項目１０）
前記禁止タイマが動作中には、端末発の指示子の送信が制限されることを特徴とする項目９に記載の端末。
（項目１１）
前記プロセッサは、前記ハンドオーバ指示メッセージを受信することでハンドオーバを実行するように設定され、前記禁止タイマは、前記ハンドオーバが完了した後に再開始されることを特徴とする項目９に記載の端末。
（項目１２）
前記プロセッサは、前記ハンドオーバが完了した後、第２の端末発の指示子を送信するように設定され、前記禁止タイマを再開始することは、前記第２の端末発の指示子によって実行されることを特徴とする項目１１に記載の端末。
（項目１３）
前記第２の端末発の指示子を送信することは、前記第１の端末発の指示子が前記ハンドオーバ指示メッセージの受信時点以前の１秒区間内に送信されると実行されることを特徴とする項目１２に記載の端末。
（項目１４）
前記第２の端末発の指示子が一般運営を指示すると、前記禁止タイマが再開始されることを特徴とする項目１３に記載の端末。
（項目１５）
前記プロセッサは、端末発の指示子設定を受信するように設定され、前記端末発の指示子設定は、前記端末が端末発の指示子を提供するように設定されることを指示し、前記端末発の指示子設定は、禁止タイマ設定値をさらに含み、前記開始される禁止タイマは、前記端末発の指示子設定の前記禁止タイマ設定値に設定されることを特徴とする項目９に記載の端末。
（項目１６）
前記プロセッサは、ネットワークからＲＲＣ接続再確立手順を開始し、及び前記ＲＲＣ接続再確立手順の開始によって前記禁止タイマを中断するように設定されることを特徴とする項目９に記載の端末。
【発明の効果】
【００１５】
本発明の実施例によると、禁止タイマを駆動させることによって端末発の指示子の送信が効率的に制御されることができる。これは無分別な端末発の指示子の送信を防ぐことで、無線リソースが浪費されることを防止することができ、端末発の指示子は、ネットワークに提供されることで、端末の動作のための最適化された設定情報が提供されることができる。
【００１６】
本発明の実施例により端末発の指示子のシグナリングを制御する制御タイマは、端末とネットワークとの間の相互手順中に適切に制御されることができる。それによって、端末発の指示子の送信がより流動的に実行されることで、ネットワークは、端末に最適化された設定情報を効率的に提供することができる。
【図面の簡単な説明】
【００１７】
【図１】本発明が適用される無線通信システムを示す。
【図２】ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【図３】制御平面（ｃｏｎｔｒｏｌ  ｐｌａｎｅ）に対する無線プロトコル構造を示すブロック図である。
【図４】ＲＲＣアイドル状態の端末の動作を示す流れ図である。
【図５】ＲＲＣ接続を確立する過程を示す流れ図である。
【図６】ＲＲＣ接続再設定過程を示す流れ図である。
【図７】ＲＲＣ接続再確立手順を示す。
【図８】既存の測定実行方法を示す流れ図である。
【図９】端末に設定された測定設定の一例を示す。
【図１０】測定識別子を削除する例を示す。
【図１１】測定対象を削除する例を示す。
【図１２】ＬＴＥ、ＧＰＳ、ＢＴ／ＷｉＦｉが一つの端末内で共存するＩＤＣ環境で相互間に干渉が発生できる状況を示す。
【図１３】本発明の実施例に係る端末発の指示子のシグナリング方法を示す流れ図である。
【図１４】本発明の実施例に係る端末発の指示子のシグナリング方法の一例を示す。
【図１５】本発明の実施例に係る端末発の指示子のシグナリング方法の他の一例を示す。
【図１６】本発明の実施例に係る端末発の指示子のシグナリング方法の他の例示を示す流れ図である。
【図１７】本発明の実施例が具現される無線装置を示すブロック図である。
【発明を実施するための形態】
【００１８】
図１は、本発明が適用される無線通信システムを示す。これはＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムとも呼ばれる。
【００１９】
Ｅ−ＵＴＲＡＮは、端末（Ｕｓｅｒ  Ｅｑｕｉｐｍｅｎｔ、ＵＥ）１０に制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ、ＢＳ）２０を含む。端末１０は、固定されてもよいし、移動性を有してもよく、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００２０】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）と連結され、Ｓ１−Ｕを介してＳ−ＧＷ（Ｓｅｒｖｉｎｇ  Ｇａｔｅｗａｙ）と連結される。
【００２１】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に対する情報を有しており、このような情報は、端末の移動性管理に主に使われる。Ｓ−ＧＷは、Ｅ−ＵＴＲＡＮを終端点として有するゲートウェイであり、Ｐ−ＧＷは、ＰＤＮを終端点として有するゲートウェイである。
【００２２】
端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づき、Ｌ１（第１の階層）、Ｌ２（第２の階層）、Ｌ３（第３の階層）に区分されることができ、このうち、第１の階層に属する物理階層は、物理チャネル（Ｐｈｙｓｉｃａｌ  Ｃｈａｎｎｅｌ）を利用した情報転送サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線リソースを制御する役割を遂行する。このために、ＲＲＣ階層は、端末と基地局との間のＲＲＣメッセージを交換する。
【００２３】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図３は、制御平面（ｃｏｎｔｒｏｌ  ｐｌａｎｅ）に対する無線プロトコル構造を示すブロック図である。ユーザ平面は、ユーザデータ送信のためのプロトコルスタック（ｐｒｏｔｏｃｏｌ  ｓｔａｃｋ）であり、制御平面は、制御信号送信のためのプロトコルスタックである。
【００２４】
図２及び図３を参照すると、物理階層（ＰＨＹ（ｐｈｙｓｉｃａｌ）  ｌａｙｅｒ）は、物理チャネル（ｐｈｙｓｉｃａｌ  ｃｈａｎｎｅｌ）を利用して上位階層に情報転送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とはトランスポートチャネル（ｔｒａｎｓｐｏｒｔ  ｃｈａｎｎｅｌ）を介して連結されている。トランスポートチャネルを介してＭＡＣ階層と物理階層との間にデータが移動する。トランスポートチャネルは、無線インターフェースを介して、データが、どのように、どのような特徴に送信されるかによって分類される。
【００２５】
互いに異なる物理階層間、即ち、送信機と受信機の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００２６】
ＭＡＣ階層の機能は、論理チャネルとトランスポートチャネルとの間のマッピング及び論理チャネルに属するＭＡＣ  ＳＤＵ（ｓｅｒｖｉｃｅ  ｄａｔａ  ｕｎｉｔ）のトランスポートチャネル上に物理チャネルに提供されるトランスポートブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００２７】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の三つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００２８】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。ＲＢは、端末とネットワークとの間のデータ伝達のために、第１の階層（ＰＨＹ階層）及び第２の階層（ＭＡＣ階層、ＲＬＣ階層、ＰＤＣＰ階層）により提供される論理的経路を意味する。
【００２９】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性保護（ｉｎｔｅｇｒｉｔｙ  ｐｒｏｔｅｃｔｉｏｎ）を含む。
【００３０】
ＲＢが設定されるということは、特定サービスを提供するために、無線プロトコル階層及びチャネルの特性を規定し、それぞれの具体的なパラメータ及び動作方法を設定する過程を意味する。また、ＲＢは、ＳＲＢ（Ｓｉｇｎａｌｉｎｇ  ＲＢ）とＤＲＢ（Ｄａｔａ  ＲＢ）の二つに分けられることができる。ＳＲＢは、制御平面でＲＲＣメッセージを送信する通路として使われ、ＤＲＢは、ユーザ平面でユーザデータを送信する通路として使われる。
【００３１】
端末のＲＲＣ階層とＥ−ＵＴＲＡＮのＲＲＣ階層との間にＲＲＣ接続（ＲＲＣ  Ｃｏｎｎｅｃｔｉｏｎ）が確立される場合、端末は、ＲＲＣ接続（ＲＲＣ  ｃｏｎｎｅｃｔｅｄ）状態になり、そうでない場合、ＲＲＣアイドル（ＲＲＣ  ｉｄｌｅ）状態になる。
【００３２】
ネットワークから端末にデータを送信するダウンリンクトランスポートチャネルには、システム情報を送信するＢＣＨ（Ｂｒｏａｄｃａｓｔ  Ｃｈａｎｎｅｌ）と、ユーザトラフィックや制御メッセージを送信するダウンリンクＳＣＨ（Ｓｈａｒｅｄ  Ｃｈａｎｎｅｌ）とがある。ダウンリンクマルチキャストまたはブロードキャストサービスのトラフィックまたは制御メッセージの場合、ダウンリンクＳＣＨを介して送信されることもでき、または別のダウンリンクＭＣＨ（Ｍｕｌｔｉｃａｓｔ  Ｃｈａｎｎｅｌ）を介して送信されることもできる。一方、端末からネットワークにデータを送信するアップリンクトランスポートチャネルには、初期制御メッセージを送信するＲＡＣＨ（Ｒａｎｄｏｍ  Ａｃｃｅｓｓ  Ｃｈａｎｎｅｌ）と、ユーザトラフィックや制御メッセージを送信するアップリンクＳＣＨ（Ｓｈａｒｅｄ  Ｃｈａｎｎｅｌ）がある。
【００３３】
トランスポートチャネルの上位にあり、トランスポートチャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３４】
物理チャネル（Ｐｈｙｓｉｃａｌ  Ｃｈａｎｎｅｌ）は、時間領域で複数個のＯＦＤＭシンボルと、周波数領域で複数個の副搬送波（Ｓｕｂ−ｃａｒｒｉｅｒ）と、で構成される。一つのサブフレーム（Ｓｕｂ−ｆｒａｍｅ）は、時間領域で複数のＯＦＤＭシンボル（Ｓｙｍｂｏｌ）で構成される。リソースブロックは、リソース割当単位であり、複数のＯＦＤＭシンボルと複数の副搬送波（ｓｕｂ−ｃａｒｒｉｅｒ）とで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、即ち、Ｌ１／Ｌ２制御チャネルのために、該当サブフレームの特定ＯＦＤＭシンボル（例えば、１番目のＯＦＤＭシンボル）の特定副搬送波を利用することができる。ＴＴＩ（Ｔｒａｎｓｍｉｓｓｉｏｎ  Ｔｉｍｅ  Ｉｎｔｅｒｖａｌ）は、サブフレーム送信の単位時間である。
【００３５】
以下、端末のＲＲＣ状態（ＲＲＣ  ｓｔａｔｅ）とＲＲＣ接続方法に対して詳述する。
【００３６】
ＲＲＣ状態とは、端末のＲＲＣ階層がＥ−ＵＴＲＡＮのＲＲＣ階層と論理的接続（ｌｏｇｉｃａｌ  ｃｏｎｎｅｃｔｉｏｎ）されているかどうかを意味し、接続されている場合はＲＲＣ接続状態といい、接続されていない場合はＲＲＣアイドル状態という。ＲＲＣ接続状態の端末は、ＲＲＣ接続が存在するため、Ｅ−ＵＴＲＡＮは、該当端末の存在をセル単位で把握することができ、したがって、端末を効果的に制御することができる。それに対し、ＲＲＣアイドル状態の端末は、Ｅ−ＵＴＲＡＮが把握することはできず、セルより大きい地域単位であるトラッキング区域（Ｔｒａｃｋｉｎｇ  Ａｒｅａ）単位にＣＮ（ｃｏｒｅ  ｎｅｔｗｏｒｋ）が管理する。即ち、ＲＲＣアイドル状態の端末は、大きい地域単位に存在可否のみが把握され、音声やデータのような通常の移動通信サービスを受けるためにはＲＲＣ接続状態に移動しなければならない。
【００３７】
ユーザが端末の電源を最初にオンした時、端末は、まず、適切なセルを探索した後、該当セルでＲＲＣアイドル状態にどとまる。ＲＲＣアイドル状態の端末は、ＲＲＣ接続を確立する必要がある時になってはじめてＲＲＣ接続過程（ＲＲＣ  ｃｏｎｎｅｃｔｉｏｎ  ｐｒｏｃｅｄｕｒｅ）を介してＥ−ＵＴＲＡＮとＲＲＣ接続を確立し、ＲＲＣ接続状態に移動する。ＲＲＣアイドル状態にあった端末がＲＲＣ接続を確立する必要がある場合は多様であり、例えば、ユーザの通話試みなどの理由でアップリンクデータ送信が必要な場合、またはＥ−ＵＴＲＡＮからページング（ｐａｇｉｎｇ）メッセージを受信した場合、これに対する応答メッセージ送信などを挙げることができる。
【００３８】
ＲＲＣ階層の上位に位置するＮＡＳ（Ｎｏｎ−Ａｃｃｅｓｓ  Ｓｔｒａｔｕｍ）階層は、セッション管理（Ｓｅｓｓｉｏｎ  Ｍａｎａｇｅｍｅｎｔ）とモビリティ管理（Ｍｏｂｉｌｉｔｙ  Ｍａｎａｇｅｍｅｎｔ）などの機能を遂行する。
【００３９】
ＮＡＳ階層で端末のモビリティを管理するために、ＥＭＭ−ＲＥＧＩＳＴＥＲＥＤ（ＥＰＳ  Ｍｏｂｉｌｉｔｙ  Ｍａｎａｇｅｍｅｎｔ−ＲＥＧＩＳＴＥＲＥＤ）及びＥＭＭ−ＤＥＲＥＧＩＳＴＥＲＥＤの二つの状態が定義されており、この二つの状態は、端末とＭＭＥに適用される。初期端末は、ＥＭＭ−ＤＥＲＥＧＩＳＴＥＲＥＤ状態であり、この端末がネットワークに接続するために初期連結（Ｉｎｉｔｉａｌ  Ａｔｔａｃｈ）手順を介して該当ネットワークに登録する過程を実行する。前記連結（Ａｔｔａｃｈ）手順が成功的に実行されると、端末及びＭＭＥは、ＥＭＭ−ＲＥＧＩＳＴＥＲＥＤ状態になる。
【００４０】
端末とＥＰＣとの間のシグナリング接続（ｓｉｇｎａｌｉｎｇ  ｃｏｎｎｅｃｔｉｏｎ）を管理するために、ＥＣＭ（ＥＰＳ  Ｃｏｎｎｅｃｔｉｏｎ  Ｍａｎａｇｅｍｅｎｔ）−ＩＤＬＥ状態及びＥＣＭ−ＣＯＮＮＥＣＴＥＤ状態の二つの状態が定義されており、この二つの状態は、端末及びＭＭＥに適用される。ＥＣＭ−ＩＤＬＥ状態の端末がＥ−ＵＴＲＡＮとＲＲＣ接続を確立すると、該当端末は、ＥＣＭ−ＣＯＮＮＥＣＴＥＤ状態となる。ＥＣＭ−ＩＤＬＥ状態にあるＭＭＥは、Ｅ−ＵＴＲＡＮとＳ１接続（Ｓ１  ｃｏｎｎｅｃｔｉｏｎ）を確立すると、ＥＣＭ−ＣＯＮＮＥＣＴＥＤ状態となる。端末がＥＣＭ−ＩＤＬＥ状態にある時、Ｅ−ＵＴＲＡＮは、端末のコンテキスト（ｃｏｎｔｅｘｔ）情報を有していない。したがって、ＥＣＭ−ＩＤＬＥ状態の端末は、ネットワークの命令を受ける必要無しにセル選択（ｃｅｌｌ  ｓｅｌｅｃｔｉｏｎ）またはセル再選択（ｒｅｓｅｌｅｃｔｉｏｎ）のような端末ベースのモビリティ関連手順を実行する。それに対し、端末がＥＣＭ−ＣＯＮＮＥＣＴＥＤ状態にある時、端末のモビリティは、ネットワークの命令により管理される。ＥＣＭ−ＩＤＬＥ状態で端末の位置がネットワークが知っている位置と異なる場合、端末は、トラッキング区域更新（Ｔｒａｃｋｉｎｇ  Ａｒｅａ  Ｕｐｄａｔｅ）手順を介してネットワークに端末の該当位置を知らせる。
【００４１】
以下、システム情報（Ｓｙｓｔｅｍ  Ｉｎｆｏｒｍａｔｉｏｎ）に対する説明である。
【００４２】
システム情報は、端末が基地局に接続するために知らなければならない必須情報を含む。したがって、端末は、基地局に接続する前にシステム情報を全部受信しなければならず、また、常に最新のシステム情報を有していなければならない。また、前記システム情報は、一セル内の全ての端末が知らなければならない情報であるため、基地局は、周期的に前記システム情報を送信する。
【００４３】
３ＧＰＰ  ＴＳ  ３６．３３１  Ｖ８．７．０（２００９−０９）“Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ８）”の５．２．２節によると、前記システム情報は、ＭＩＢ（Ｍａｓｔｅｒ  Ｉｎｆｏｒｍａｔｉｏｎ  Ｂｌｏｃｋ）、ＳＢ（Ｓｃｈｅｄｕｌｉｎｇ  Ｂｌｏｃｋ）、ＳＩＢ（Ｓｙｓｔｅｍ  Ｉｎｆｏｒｍａｔｉｏｎ  Ｂｌｏｃｋ）に分けられる。ＭＩＢは、端末が該当セルの物理的構成、例えば、帯域幅（Ｂａｎｄｗｉｄｔｈ）などを知ることができるようにする。ＳＢは、ＳＩＢの送信情報、例えば、送信周期などを知らせる。ＳＩＢは、互いに関連のあるシステム情報の集合体である。例えば、あるＳＩＢは、周辺のセルの情報のみを含み、あるＳＩＢは、端末が使用するアップリンク無線チャネルの情報のみを含む。
【００４４】
一般的に、ネットワークが端末に提供するサービスは、下記のように三つのタイプに区分することができる。また、どのようなサービスの提供を受けることができるかによって、端末は、セルのタイプも異なると認識する。以下、サービスタイプを叙述した後、セルのタイプを叙述する。
【００４５】
１）制限的サービス（Ｌｉｍｉｔｅｄ  ｓｅｒｖｉｃｅ）：このサービスは、緊急呼び出し（Ｅｍｅｒｇｅｎｃｙ  ｃａｌｌ）及び災害警報システム（Ｅａｒｔｈｑｕａｋｅ  ａｎｄ  Ｔｓｕｎａｍｉ  Ｗａｒｎｉｎｇ  Ｓｙｓｔｅｍ；ＥＴＷＳ）を提供し、受容可能セル（ａｃｃｅｐｔａｂｌｅ  ｃｅｌｌ）で提供することができる。
【００４６】
２）正規サービス（Ｎｏｒｍａｌ  ｓｅｒｖｉｃｅ）：このサービスは、一般的用途の汎用サービス（ｐｕｂｌｉｃ  ｕｓｅ）を意味し、正規セル（ｓｕｉｔａｂｌｅ  ｏｒ  ｎｏｒｍａｌ  ｃｅｌｌ）で提供することができる。
【００４７】
３）事業者サービス（Ｏｐｅｒａｔｏｒ  ｓｅｒｖｉｃｅ）：このサービスは、通信ネットワーク事業者のためのサービスを意味し、このセルは、通信ネットワーク事業者のみが使用することができ、一般ユーザは使用することができない。
【００４８】
セルが提供するサービスタイプと関連し、セルのタイプは、下記のように区分されることができる。
【００４９】
１）受容可能セル（Ａｃｃｅｐｔａｂｌｅ  ｃｅｌｌ）：端末が制限された（Ｌｉｍｉｔｅｄ）サービスの提供を受けることができるセル。このセルは、該当端末立場で、禁止（ｂａｒｒｅｄ）されておらず、端末のセル選択基準を満たすセルである。
【００５０】
２）正規セル（Ｓｕｉｔａｂｌｅ  ｃｅｌｌ）：端末が正規サービスの提供を受けることができるセル。このセルは、受容可能セルの条件を満たし、同時に追加条件を満たす。追加的な条件として、このセルは、該当端末が接続できるＰＬＭＮ（Ｐｕｂｌｉｃ  Ｌａｎｄ  Ｍｏｂｉｌｅ  Ｎｅｔｗｏｒｋ）所属でなければならず、端末のトラッキング区域（Ｔｒａｃｋｉｎｇ  Ａｒｅａ）更新手順の実行が禁止されないセルでなければならない。該当セルがＣＳＧセルである場合、端末がこのセルにＣＳＧメンバーとして接続が可能なセルでなければならない。
【００５１】
３）禁止されたセル（Ｂａｒｒｅｄ  ｃｅｌｌ）：セルがシステム情報を介して禁止されたセルであるという情報をブロードキャストするセルである。
【００５２】
４）予約されたセル（Ｒｅｓｅｒｖｅｄ  ｃｅｌｌ）：セルがシステム情報を介して予約されたセルであるという情報をブロードキャストするセルである。
【００５３】
図４は、ＲＲＣアイドル状態の端末の動作を示す流れ図である。図４は、初期電源がオンされた端末がセル選択過程を経てネットワークに登録し、その後、必要な場合、セル再選択をする手順を示す。
【００５４】
図４を参照すると、端末は、自分がサービスを受けようとするネットワークであるＰＬＭＮ（ｐｕｂｌｉｃ  ｌａｎｄ  ｍｏｂｉｌｅ  ｎｅｔｗｏｒｋ）と通信するためのラジオ接続技術（ｒａｄｉｏ  ａｃｃｅｓｓ  ｔｅｃｈｎｏｌｏｇｙ；ＲＡＴ）を選択する（Ｓ４１０）。ＰＬＭＮ及びＲＡＴに対する情報は、端末のユーザが選択することもでき、ＵＳＩＭ（ｕｎｉｖｅｒｓａｌ  ｓｕｂｓｃｒｉｂｅｒ  ｉｄｅｎｔｉｔｙ  ｍｏｄｕｌｅ）に格納されているものを使用することもできる。
【００５５】
端末は、測定した基地局と信号強度や品質が特定値より大きいセルのうち、最も大きい値を有するセルを選択する（Ｃｅｌｌ  Ｓｅｌｅｃｔｉｏｎ）（Ｓ４２０）。これは電源がオンされた端末がセル選択を実行することであって、初期セル選択（ｉｎｉｔｉａｌ  ｃｅｌｌ  ｓｅｌｅｃｔｉｏｎ）という。セル選択手順に対して以後に詳述する。セル選択以後の端末は、基地局が周期的に送るシステム情報を受信する。前記特定値は、データ送／受信での物理的信号に対する品質の保証を受けるために、システムで定義された値をいう。したがって、適用されるＲＡＴによって、その値は異なる。
【００５６】
端末は、ネットワーク登録が必要な場合、ネットワーク登録手順を実行する（Ｓ４３０）。端末は、ネットワークからサービス（例：Ｐａｇｉｎｇ）を受けるために自分の情報（例：ＩＭＳＩ）を登録する。端末は、セルを選択するたびに接続するネットワークに登録するものではなく、システム情報から受けたネットワークの情報（例：Ｔｒａｃｋｉｎｇ  Ａｒｅａ  Ｉｄｅｎｔｉｔｙ；ＴＡＩ）と自分が知っているネットワークの情報が異なる場合にネットワークに登録する。
【００５７】
端末は、セルで提供されるサービス環境または端末の環境などに基づいてセル再選択を実行する（Ｓ４４０）。端末は、サービスを受けている基地局から測定した信号の強度や品質の値が隣接したセルの基地局から測定した値より低い場合、端末が接続した基地局のセルより良い信号特性を提供する他のセルの中から一つを選択する。この過程を２番目の過程である初期セル選択（Ｉｎｉｔｉａｌ  Ｃｅｌｌ  Ｓｅｌｅｃｔｉｏｎ）と区分してセル再選択（Ｃｅｌｌ  Ｒｅ−Ｓｅｌｅｃｔｉｏｎ）という。このとき、信号特性の変化によって頻繁にセルが再選択されることを防止するために時間的な制約条件をおく。セル再選択手順に対して以後に詳述する。
【００５８】
図５は、ＲＲＣ接続を確立する過程を示す流れ図である。
【００５９】
端末は、ＲＲＣ接続を要求するＲＲＣ接続要求（ＲＲＣ  Ｃｏｎｎｅｃｔｉｏｎ  Ｒｅｑｕｅｓｔ）メッセージをネットワークに送る（Ｓ５１０）。ネットワークは、ＲＲＣ接続要求に対する応答としてＲＲＣ接続設定（ＲＲＣ  Ｃｏｎｎｅｃｔｉｏｎ  Ｓｅｔｕｐ）メッセージを送る（Ｓ５２０）。ＲＲＣ接続設定メッセージを受信した後、端末は、ＲＲＣ接続モードに進入する。
【００６０】
端末は、ＲＲＣ接続確立の成功的な完了を確認するために使われるＲＲＣ接続設定完了（ＲＲＣ  Ｃｏｎｎｅｃｔｉｏｎ  Ｓｅｔｕｐ  Ｃｏｍｐｌｅｔｅ）メッセージをネットワークに送る（Ｓ５３０）。
【００６１】
図６は、ＲＲＣ接続再設定過程を示す流れ図である。ＲＲＣ接続再設定（ｒｅｃｏｎｆｉｇｕｒａｔｉｏｎ）は、ＲＲＣ接続の修正に使われる。これはＲＢ確立／修正（ｍｏｄｉｆｙ）／解除（ｒｅｌｅａｓｅ）、ハンドオーバ実行、測定セットアップ／修正／解除するために使われる。
【００６２】
ネットワークは、端末にＲＲＣ接続を修正するためのＲＲＣ接続再設定（ＲＲＣ  Ｃｏｎｎｅｃｔｉｏｎ  Ｒｅｃｏｎｆｉｇｕｒａｔｉｏｎ）メッセージを送る（Ｓ６１０）。端末は、ＲＲＣ接続再設定に対する応答として、ＲＲＣ接続再設定の成功的な完了を確認するために使われるＲＲＣ接続再設定完了（ＲＲＣ  Ｃｏｎｎｅｃｔｉｏｎ  Ｒｅｃｏｎｆｉｇｕｒａｔｉｏｎ  Ｃｏｍｐｌｅｔｅ）メッセージをネットワークに送る（Ｓ６２０）。
【００６３】
以下、ＰＬＭＮ（ｐｕｂｌｉｃ  ｌａｎｄ  ｍｏｂｉｌｅ  ｎｅｔｗｏｒｋ）に対して説明する。
【００６４】
ＰＬＭＮは、モバイルネットワーク運営者により配置及び運用されるネットワークである。各モバイルネットワーク運営者は、一つまたはそれ以上のＰＬＭＮを運用する。各ＰＬＭＮは、ＭＣＣ（Ｍｏｂｉｌｅ  Ｃｏｕｎｔｒｙ  Ｃｏｄｅ）及びＭＮＣ（Ｍｏｂｉｌｅ  Ｎｅｔｗｏｒｋ  Ｃｏｄｅ）により識別されることができる。セルのＰＬＭＮ情報は、システム情報に含まれてブロードキャストされる。
【００６５】
ＰＬＭＮ選択、セル選択及びセル再選択において、多様なタイプのＰＬＭＮが端末により考慮されることができる。
【００６６】
ＨＰＬＭＮ（Ｈｏｍｅ  ＰＬＭＮ）：端末ＩＭＳＩのＭＣＣ及びＭＮＣとマッチングされるＭＣＣ及びＭＮＣを有するＰＬＭＮ
【００６７】
ＥＨＰＬＭＮ（Ｅｑｕｉｖａｌｅｎｔ  ＨＰＬＭＮ）：ＨＰＬＭＮと等価として取り扱われるＰＬＭＮ
【００６８】
ＲＰＬＭＮ（Ｒｅｇｉｓｔｅｒｅｄ  ＰＬＭＮ）：位置登録が成功的に終了されたＰＬＭＮ
【００６９】
ＥＰＬＭＮ（Ｅｑｕｉｖａｌｅｎｔ  ＰＬＭＮ）：ＲＰＬＭＮと等価として取り扱われるＰＬＭＮ
【００７０】
各モバイルサービス需要者は、ＨＰＬＭＮに加入する。ＨＰＬＭＮまたはＥＨＰＬＭＮによって端末に一般サービスが提供される時、端末は、ローミング状態（ｒｏａｍｉｎｇ  ｓｔａｔｅ）ではない。それに対し、ＨＰＬＭＮ／ＥＨＰＬＭＮ以外のＰＬＭＮによって端末にサービスが提供される時、端末は、ローミング状態であり、そのＰＬＭＮは、ＶＰＬＭＮ（Ｖｉｓｉｔｅｄ  ＰＬＭＮ）と呼ばれる。
【００７１】
端末は、初期に電源がオンされると、使用可能なＰＬＭＮ（ｐｕｂｌｉｃ  ｌａｎｄ  ｍｏｂｉｌｅ  ｎｅｔｗｏｒｋ）を検索し、サービスを受けることができる適切なＰＬＭＮを選択する。ＰＬＭＮは、モバイルネットワーク運営者（ｍｏｂｉｌｅ  ｎｅｔｗｏｒｋ  ｏｐｅｒａｔｏｒ）により配置され（ｄｅｐｌｏｙ）または運営されるネットワークである。各モバイルネットワーク運営者は、一つまたはそれ以上のＰＬＭＮを運営する。それぞれのＰＬＭＮは、ＭＣＣ（ｍｏｂｉｌｅ  ｃｏｕｎｔｒｙ  ｃｏｄｅ）及びＭＮＣ（ｍｏｂｉｌｅ  ｎｅｔｗｏｒｋ  ｃｏｄｅ）によって識別されることができる。セルのＰＬＭＮ情報は、システム情報に含まれてブロードキャストされる。端末は、選択したＰＬＭＮを登録しようと試みる。登録が成功した場合、選択されたＰＬＭＮは、ＲＰＬＭＮ（ｒｅｇｉｓｔｅｒｅｄ  ＰＬＭＮ）になる。ネットワークは、端末にＰＬＭＮリストをシグナリングすることができ、これはＰＬＭＮリストに含まれているＰＬＭＮをＲＰＬＭＮと同じＰＬＭＮであると考慮することができる。ネットワークに登録された端末は、常時ネットワークによって接近可能（ｒｅａｃｈａｂｌｅ）でなければならない。もし、端末がＥＣＭ−ＣＯＮＮＥＣＴＥＤ状態（同じくは、ＲＲＣ接続状態）にある場合、ネットワークは、端末がサービスを受けていることを認知する。しかし、端末がＥＣＭ−ＩＤＬＥ状態（同じくは、ＲＲＣアイドル状態）にある場合、端末の状況がｅＮＢでは有効でないが、ＭＭＥには格納されている。この場合、ＥＣＭ−ＩＤＬＥ状態の端末の位置は、ＴＡ（ｔｒａｃｋｉｎｇ  Ａｒｅａ）のリストの粒度（ｇｒａｎｕｌａｒｉｔｙ）を介してＭＭＥにのみ知らされる。単一ＴＡは、ＴＡが所属されたＰＬＭＮ識別子で構成されたＴＡＩ（ｔｒａｃｋｉｎｇ  ａｒｅａ  ｉｄｅｎｔｉｔｙ）及びＰＬＭＮ内のＴＡを唯一に表現するＴＡＣ（ｔｒａｃｋｉｎｇ  ａｒｅａ  ｃｏｄｅ）により識別される。
【００７２】
次に、選択したＰＬＭＮが提供するセルの中から、前記端末が適切なサービスの提供を受けることができる信号品質と特性を有するセルを選択する。
【００７３】
以下、端末がセルを選択する手順に対して詳細に説明する。
【００７４】
電源がオンされ、またはセルにとどまっている時、端末は、適切な品質のセルを選択／再選択してサービスを受けるための手順を実行する。
【００７５】
ＲＲＣアイドル状態の端末は、常に適切な品質のセルを選択し、このセルを介してサービスの提供を受けるために準備していなければならない。例えば、電源がオンされた端末は、ネットワークに登録をするために適切な品質のセルを選択しなければならない。ＲＲＣ接続状態にあった前記端末がＲＲＣアイドル状態に進入すると、前記端末は、ＲＲＣアイドル状態にとどまるセルを選択しなければならない。このように、前記端末がＲＲＣアイドル状態のようなサービス待機状態にとどまるために、一定条件を満たすセルを選択する過程をセル選択（Ｃｅｌｌ  Ｓｅｌｅｃｔｉｏｎ）という。重要な点は、前記セル選択は、前記端末が前記ＲＲＣアイドル状態にとどまるセルを現在決定できない状態で実行するため、可能な速かにセルを選択することが重要である。したがって、一定基準以上の無線信号品質を提供するセルの場合、たとえ、このセルが端末に最も良い無線信号品質を提供するセルでないとしても、端末のセル選択過程で選択されることができる。
【００７６】
以下、３ＧＰＰ  ＴＳ  ３６．３０４  Ｖ８．５．０（２００９−０３）“Ｕｓｅｒ  Ｅｑｕｉｐｍｅｎｔ（ＵＥ）  ｐｒｏｃｅｄｕｒｅｓ  ｉｎ  ｉｄｌｅ  ｍｏｄｅ（Ｒｅｌｅａｓｅ８）”を参照し、３ＧＰＰ  ＬＴＥにおいて、端末がセルを選択する方法及び手順に対して詳述する。
【００７７】
セル選択過程は、大きく、二つに分けられる。
【００７８】
まず、初期セル選択過程では、前記端末が無線チャネルに対する事前情報がない。したがって、前記端末は、適切なセルを探すために全ての無線チャネルを検索する。各チャネルにおいて、前記端末は、最も強いセルを探す。以後、前記端末がセル選択基準を満たす適切な（ｓｕｉｔａｂｌｅ）セルを探す場合は、該当セルを選択する。
【００７９】
次に、端末は、格納された情報を活用し、またはセルで放送している情報を活用してセルを選択することができる。したがって、初期セル選択過程に比べてセル選択が迅速である。端末がセル選択基準を満たすセルを探す場合は、該当セルを選択する。もし、この過程を介してセル選択基準を満たす適切なセルを探すことができない場合は、端末は初期セル選択過程を実行する。
【００８０】
前記端末がセル選択過程を介してあるセルを選択した以後、端末のモビリティまたは無線環境の変化などにより端末と基地局との間の信号の強度や品質が変わることができる。したがって、もし、選択したセルの品質が低下される場合、端末は、より良い品質を提供する他のセルを選択することができる。このようにセルを再選択する場合、一般的に現在選択されたセルより良い信号品質を提供するセルを選択する。このような過程をセル再選択（Ｃｅｌｌ  Ｒｅｓｅｌｅｃｔｉｏｎ）という。前記セル再選択過程は、無線信号の品質観点で、一般的に端末に最も良い品質を提供するセルを選択することに基本的な目的がある。
【００８１】
無線信号の品質観点以外に、ネットワークは、周波数別に優先順位を決定して端末に知らせることができる。このような優先順位を受信した端末は、セル再選択過程で、この優先順位を無線信号品質基準より優先的に考慮するようになる。
【００８２】
前記のように無線環境の信号特性によってセルを選択または再選択する方法があり、セル再選択において、再選択のためのセルを選択するとき、セルのＲＡＴと周波数（ｆｒｅｑｕｅｎｃｙ）特性によって下記のようなセル再選択方法がある。
【００８３】
−イントラ周波数（Ｉｎｔｒａ−ｆｒｅｑｕｅｎｃｙ）セル再選択：端末がキャンプ（ｃａｍｐ）中であるセルと同じＲＡＴと同じ中心周波数（ｃｅｎｔｅｒ−ｆｒｅｑｕｅｎｃｙ）を有するセルを再選択
【００８４】
−インター周波数（Ｉｎｔｅｒ−ｆｒｅｑｕｅｎｃｙ）セル再選択：端末がキャンプ中であるセルと同じＲＡＴと異なる中心周波数を有するセルを再選択
【００８５】
−インターＲＡＴ（Ｉｎｔｅｒ−ＲＡＴ）セル再選択：端末がキャンプ中であるＲＡＴと異なるＲＡＴを使用するセルを再選択
【００８６】
セル再選択過程の原則は、下記の通りである。
【００８７】
第一に、端末は、セル再選択のためにサービングセル（ｓｅｒｖｉｎｇ  ｃｅｌｌ）及び隣接セル（ｎｅｉｇｈｂｏｒｉｎｇ  ｃｅｌｌ）の品質を測定する。
【００８８】
第二に、セル再選択は、セル再選択基準に基づいて実行される。セル再選択基準は、サービングセル及び隣接セル測定に関連して下記のような特性を有している。
【００８９】
イントラ周波数セル再選択は、基本的にランキング（ｒａｎｋｉｎｇ）に基づく。ランキングとは、セル再選択評価のための指標値を定義し、この指標値を利用してセルを指標値の大きさ順に順序を定める作業である。最も良い指標を有するセルを一般的にｂｅｓｔ  ｒａｎｋｅｄ  ｃｅｌｌという。セル指標値は、端末が該当セルに対して測定した値を基本にして、必要によって、周波数オフセットまたはセルオフセットを適用した値である。
【００９０】
インター周波数セル再選択は、ネットワークにより提供された周波数優先順位に基づく。端末は、最も高い周波数優先順位を有する周波数にキャンプオンする（ｃａｍｐ  ｏｎ）ように試みる。ネットワークは、ブロードキャストシグナリング（ｂｒｏａｄｃａｓｔ  ｓｉｇｎａｌｉｎｇ）を介してセル内の端末が共通的に適用する周波数優先順位を提供し、または端末別シグナリング（ｄｅｄｉｃａｔｅｄ  ｓｉｇｎａｌｉｎｇ）を介して端末別に各々周波数別優先順位を提供することができる。ブロードキャストシグナリングを介して提供されるセル再選択優先順位を共用優先順位（ｃｏｍｍｏｎ  ｐｒｉｏｒｉｔｙ）ということができ、端末別にネットワークが設定するセル再選択優先順位を専用優先順位（ｄｅｄｉｃａｔｅｄ  ｐｒｉｏｒｉｔｙ）という。端末は、専用優先順位を受信すると、専用優先順位と関連した有効時間（ｖａｌｉｄｉｔｙ  ｔｉｍｅ）を共に受信することができる。端末は、専用優先順位を受信すると、共に受信した有効時間に設定された有効性タイマ（ｖａｌｉｄｉｔｙ  ｔｉｍｅｒ）を開始する。端末は、有効性タイマが動作する中、ＲＲＣアイドルモードで専用優先順位を適用する。有効性タイマが満了されると、端末は、専用優先順位を廃棄し、再び共用優先順位を適用する。
【００９１】
インター周波数セル再選択のために、ネットワークは、端末にセル再選択に使われるパラメータ（例えば、周波数別オフセット（ｆｒｅｑｕｅｎｃｙ−ｓｐｅｃｉｆｉｃ  ｏｆｆｓｅｔ））を周波数別に提供することができる。
【００９２】
イントラ周波数セル再選択またはインター周波数セル再選択のために、ネットワークは、端末にセル再選択に使われる隣接セルリスト（Ｎｅｉｇｈｂｏｒｉｎｇ  Ｃｅｌｌ  Ｌｉｓｔ、ＮＣＬ）を端末に提供することができる。このＮＣＬは、セル再選択に使われるセル別パラメータ（例えば、セル別オフセット（ｃｅｌｌ−ｓｐｅｃｉｆｉｃ  ｏｆｆｓｅｔ））を含む。
【００９３】
イントラ周波数またはインター周波数セル再選択のために。ネットワークは、セル再選択に使われるセル再選択禁止リスト（ｂｌａｃｋ  ｌｉｓｔ）を端末に提供することができる。禁止リストに含まれているセルに対し、端末は、セル再選択を実行しない。
【００９４】
以下、セル再選択評価過程で実行するランキングに対して説明する。
【００９５】
セルの優先順位を定める時に使われるランキング指標（ｒａｎｋｉｎｇ  ｃｒｉｔｅｒｉｏｎ）は、数式１のように定義される。
【００９６】
【数１】
0005927344.tif 000002
【００９７】
ここで、Ｒｓはサービングセルのランキング指標であり、Ｒｎは隣接セルのランキング指標であり、Ｑｍｅａｓ，ｓは端末がサービングセルに対して測定した品質値であり、Ｑｍｅａｓ，ｎは端末が隣接セルに対して測定した品質値であり、Ｑｈｙｓｔはランキングのためのヒステリシス（ｈｙｓｔｅｒｅｓｉｓ）値であり、Ｑｏｆｆｓｅｔは二つのセル間のオフセットである。
【００９８】
イントラ周波数で、端末がサービングセルと隣接セルとの間のオフセット（Ｑｏｆｆｓｅｔｓ，ｎ）を受信した場合は、Ｑｏｆｆｓｅｔ＝Ｑｏｆｆｓｅｔｓ，ｎであり、端末がＱｏｆｆｓｅｔｓ，ｎを受信しない場合は、Ｑｏｆｆｓｅｔ＝０である。
【００９９】
インター周波数で、端末が該当セルに対するオフセット（Ｑｏｆｆｓｅｔｓ，ｎ）を受信した場合は、Ｑｏｆｆｓｅｔ＝Ｑｏｆｆｓｅｔｓ，ｎ＋Ｑｆｒｅｑｕｅｎｃｙであり、端末がＱｏｆｆｓｅｔｓ，ｎを受信しない場合は、Ｑｏｆｆｓｅｔ＝Ｑｆｒｅｑｕｅｎｃｙである。
【０１００】
サービングセルのランキング指標（Ｒｓ）と隣接セルのランキング指標（Ｒｎ）が互いに類似する状態で変動すると、変動結果、ランキング順位が頻繁に変わって端末が二つのセルを交互に再選択することができる。Ｑｈｙｓｔは、セル再選択でヒステリシスを与え、端末が二つのセルを交互に再選択することを防止するためのパラメータである。
【０１０１】
端末は、前記数式によってサービングセルのＲｓ及び隣接セルのＲｎを測定し、ランキング指標値が最も大きい値を有するセルをベストランク（ｂｅｓｔ  ｒａｎｋｅｄ）セルと見なし、このセルを再選択する。
【０１０２】
前記基準によると、セルの品質がセル再選択において、最も主要な基準として作用することを確認することができる。もし、再選択したセルが正規セル（ｓｕｉｔａｂｌｅ  ｃｅｌｌ）でない場合、端末は、該当周波数または該当セルをセル再選択対象から除外する。
【０１０３】
以下、ＲＬＭ（Ｒａｄｉｏ  Ｌｉｎｋ  Ｍｏｎｉｔｏｒｉｎｇ）に対して説明する。
【０１０４】
端末は、ＰＣｅｌｌのダウンリンク無線リンク品質を検知するために、セル特定参照信号（ｃｅｌｌ−ｓｐｅｃｉｆｉｃ  ｒｅｆｅｒｅｎｃｅ  ｓｉｇｎａｌ）に基づいてダウンリンク品質をモニタリングする。端末は、ＰＣｅｌｌのダウンリンク無線リンク品質のモニタリングを目的としてダウンリンク無線リンク品質を推定し、それを閾値Ｑｏｕｔ及びＱｉｎと比較する。閾値Ｑｏｕｔは、ダウンリンク無線リンクが安定的に受信されることができない水準に定義され、これはＰＤＦＩＣＨエラーを考慮して仮想のＰＤＣＣＨ送信（ｈｙｐｏｔｈｅｔｉｃａｌ  ＰＤＣＣＨ  ｔｒａｎｓｍｉｓｓｉｏｎ）の１０％ブロックエラー率に相応する。閾値Ｑｉｎは、Ｑｏｕｔのレベルより安定的に受信されることができるダウンリンク無線リンク品質レベルに定義され、これはＰＣＦＩＣＨエラーを考慮して仮想のＰＤＣＣＨ送信の２％ブロックエラー率に相応する。
【０１０５】
以下、無線リンク失敗（Ｒａｄｉｏ  Ｌｉｎｋ  Ｆａｉｌｕｒｅ；ＲＬＦ）に対して説明する。
【０１０６】
端末は、サービスを受信するサービングセルとの無線リンクの品質維持のために持続的に測定を実行する。端末は、サービングセルとの無線リンクの品質悪化（ｄｅｔｅｒｉｏｒａｔｉｏｎ）により現在状況で通信が不可能かどうかを決定する。もし、サービングセルの品質があまり低くて通信がほぼ不可能な場合、端末は、現在状況を無線連結失敗であると決定する。
【０１０７】
もし、無線リンク失敗が決定されると、端末は、現在のサービングセルとの通信維持をあきらめ、セル選択（または、セル再選択）手順を介して新たなセルを選択し、新たなセルへのＲＲＣ接続再確立（ＲＲＣ  ｃｏｎｎｅｃｔｉｏｎ  ｒｅ−ｅｓｔａｂｌｉｓｈｍｅｎｔ）を試みる。
【０１０８】
３ＧＰＰ  ＬＴＥのスペックにおいて、正常な通信をできない場合として下記のような例示を挙げている。
【０１０９】
−端末の物理階層の無線品質測定結果に基づいて端末がダウンリンク無線リンク品質に深刻な問題があると判断した場合（ＲＬＭ実行中、ＰＣｅｌｌの品質が低いと判断した場合）
【０１１０】
−ＭＡＣ副階層でランダムアクセス（ｒａｎｄｏｍ  ａｃｃｅｓｓ）手順が持続的に失敗してアップリンク送信に問題があると判断した場合
【０１１１】
−ＲＬＣ副階層でアップリンクデータ送信が持続的に失敗してアップリンク送信に問題があると判断した場合
【０１１２】
−ハンドオーバを失敗したと判断した場合
【０１１３】
−端末が受信したメッセージが完全性検査（ｉｎｔｅｇｒｉｔｙ  ｃｈｅｃｋ）を通過することができない場合
【０１１４】
以下、ＲＲＣ接続再確立（ＲＲＣ  ｃｏｎｎｅｃｔｉｏｎ  ｒｅ−ｅｓｔａｂｌｉｓｈｍｅｎｔ）手順に対し、より詳細に説明する。
【０１１５】
図７は、ＲＲＣ接続再確立手順を示す。
【０１１６】
図７を参照すると、端末は、ＳＲＢ０（Ｓｉｇｎａｌｉｎｇ  Ｒａｄｉｏ  Ｂｅａｒｅｒ  ＃０）を除外した設定されていた全ての無線ベアラ（ｒａｄｉｏ  ｂｅａｒｅｒ）使用を中断し、ＡＳ（Ａｃｃｅｓｓ  Ｓｔｒａｔｕｍ）の各種副階層を初期化する（Ｓ７１０）。また、各副階層及び物理階層を基本構成（ｄｅｆａｕｌｔ  ｃｏｎｆｉｇｕｒａｔｉｏｎ）に設定する。このような過程中、端末は、ＲＲＣ接続状態を維持する。
【０１１７】
端末は、ＲＲＣ接続再設定手順を実行するためのセル選択手順を実行する（Ｓ７２０）。ＲＲＣ接続再確立手順のうち、セル選択手順は、端末がＲＲＣ接続状態を維持しているにもかかわらず、端末がＲＲＣアイドル状態で実行するセル選択手順と同様に実行されることができる。
【０１１８】
端末は、セル選択手順を実行した後、該当セルのシステム情報を確認して該当セルが適したセルかどうかを判断する（Ｓ７３０）。もし、選択されたセルが適切なＥ−ＵＴＲＡＮセルと判断された場合、端末は、該当セルにＲＲＣ接続再確立要求メッセージ（ＲＲＣ  ｃｏｎｎｅｃｔｉｏｎ  ｒｅｅｓｔａｂｌｉｓｈｍｅｎｔ  ｒｅｑｕｅｓｔ  ｍｅｓｓａｇｅ）を送信する（Ｓ７４０）。
【０１１９】
一方、ＲＲＣ接続再確立手順を実行するためのセル選択手順を介して選択されたセルがＥ−ＵＴＲＡＮ以外の他のＲＡＴを使用するセルであると判断された場合、ＲＲＣ接続再確立手順が中断され、端末は、ＲＲＣアイドル状態に進入する（Ｓ７５０）。
【０１２０】
端末は、セル選択手順及び選択したセルのシステム情報の受信を介して、制限された時間内にセルの適切性確認を終えるように具現されることができる。そのために、端末は、ＲＲＣ接続再確立手順を開始することでタイマを駆動させることができる。タイマは、端末が適したセルを選択したと判断された場合、中断されることができる。タイマが満了された場合、端末は、ＲＲＣ接続再確立手順が失敗したと見なし、ＲＲＣアイドル状態に進入することができる。以下、このタイマを無線リンク失敗タイマという。ＬＴＥスペックＴＳ  ３６．３３１では、Ｔ３１１という名称のタイマが無線リンク失敗タイマとして活用されることができる。端末は、このタイマの設定値をサービングセルのシステム情報から取得することができる。
【０１２１】
端末からＲＲＣ接続再確立要求メッセージを受信し、要求を受諾した場合、セルは、端末にＲＲＣ接続再確立メッセージ（ＲＲＣ  ｃｏｎｎｅｃｔｉｏｎ  ｒｅｅｓｔａｂｌｉｓｈｍｅｎｔ  ｍｅｓｓａｇｅ）を送信する。
【０１２２】
セルからＲＲＣ接続再確立メッセージを受信した端末は、ＳＲＢ１に対するＰＤＣＰ副階層とＲＬＣ副階層を再構成する。また、保安設定と関連した各種キー値を再計算し、保安を担当するＰＤＣＰ副階層を新たに計算した保安する値で再構成する。それによって、端末とセルとの間のＳＲＢ１が開放され、ＲＲＣ制御メッセージを送受信することができるようになる。端末は、ＳＲＢ１の再開を完了し、セルにＲＲＣ接続再確立手順が完了したというＲＲＣ接続再確立完了メッセージ（ＲＲＣ  ｃｏｎｎｅｃｔｉｏｎ  ｒｅｅｓｔａｂｌｉｓｈｍｅｎｔ  ｃｏｍｐｌｅｔｅ  ｍｅｓｓａｇｅ）を送信する（Ｓ７６０）。
【０１２３】
それに対し、端末からＲＲＣ接続再確立要求メッセージを受信し、要求を受諾しない場合、セルは、端末にＲＲＣ接続再確立拒絶メッセージ（ＲＲＣ  ｃｏｎｎｅｃｔｉｏｎ  ｒｅｅｓｔａｂｌｉｓｈｍｅｎｔ  ｒｅｊｅｃｔ  ｍｅｓｓａｇｅ）を送信する。
【０１２４】
ＲＲＣ接続再確立手順が成功的に実行されると、セルと端末は、ＲＲＣ接続再設定手順を実行する。それによって、端末は、ＲＲＣ接続再確立手順を実行する前の状態を回復し、サービスの連続性を最大限保障する。
【０１２５】
以下、ＲＬＦの報告と関連して説明する。
【０１２６】
端末は、ネットワークのＭＲＯ（Ｍｏｂｉｌｉｔｙ  Ｒｏｂｕｓｔｎｅｓｓ  Ｏｐｔｉｍｉｓａｔｉｏｎ）をサポートするために、ＲＬＦが発生し、またはハンドオーバ失敗（ｈａｎｄｏｖｅｒ  ｆａｉｌｕｒｅ）が発生すると、このような失敗イベントをネットワークに報告する。
【０１２７】
ＲＲＣ接続再確立後、端末は、ＲＬＦ報告をｅＮＢに提供することができる。ＲＬＦ報告に含まれている無線測定は、カバレッジ問題を識別するために、失敗の潜在的理由として使われることができる。この情報は、ｉｎｔｒａ−ＬＴＥモビリティ連結失敗に対するＭＲＯ評価において、このようなイベントを排除させ、そのイベントを他のアルゴリズムに対する入力に向けるために使われることができる。
【０１２８】
ＲＲＣ接続再確立が失敗し、または端末がＲＲＣ接続再確立を実行することができない場合、端末は、アイドルモードで再連結した後、ｅＮＢに対する有効なＲＬＦ報告を生成することができる。このような目的のために、端末は、最近、ＲＬＦまたはハンドオーバ失敗関連情報を格納し、ネットワークによりＲＬＦ報告が受信されるまでまたは前記ＲＬＦまたはハンドオーバ失敗が検知された後４８時間の間、以後ＲＲＣ接続（再）確立及びハンドオーバ毎にＲＬＦ報告が有効であることをＬＴＥセルに指示することができる。
【０１２９】
端末は、状態遷移及びＲＡＴ変更中、前記情報を維持し、前記ＬＴＥ  ＲＡＴに戻ってきた後、再びＲＬＦ報告が有効であることを指示する。
【０１３０】
ＲＲＣ接続設定手順でＲＬＦ報告の有効であるとは、端末が連結失敗のような妨害を受け、この失敗によるＲＬＦ報告がまだネットワークに伝達されなかったことを指示するものである。端末からのＲＬＦ報告は、下記の情報を含む。
【０１３１】
−端末にサービスを提供した最後のセル（ＲＬＦの場合）またはハンドオーバのターゲットのＥ−ＣＧＩ。Ｅ−ＣＧＩが知られていない場合、ＰＣＩ及び周波数情報がその代わりに使われる。
【０１３２】
−再確立試みがあったセルのＥ−ＣＧＩ
【０１３３】
−最後のハンドオーバ初期化時、一例として、メッセージ７（ＲＲＣ接続再設定）が端末により受信された時、端末にサービスを提供したセルのＥ−ＣＧＩ
【０１３４】
−最後のハンドオーバ初期化から連結失敗まで経過した時間
【０１３５】
−連結失敗がＲＬＦによることかまたはハンドオーバ失敗によることかを指示する情報
【０１３６】
−無線測定
【０１３７】
−失敗の位置
【０１３８】
端末からＲＬＦ失敗を受信したｅＮＢは、報告された連結失敗以前に端末にサービスを提供したｅＮＢに前記報告をフォワーディングすることができる。ＲＬＦ報告に含まれている無線測定は、無線リンク失敗の潜在的な原因としてのカバレッジ問題を識別するために使われることができる。この情報は、ｉｎｔｒａ−ＬＴＥモビリティ連結失敗のＭＲＯ評価からこのようなイベントを排除させ、これらを他のアルゴリズムに対する入力に向けるために使われることができる
【０１３９】
以下、測定及び測定報告に対して説明する。
【０１４０】
移動通信システムにおいて、端末のモビリティ（ｍｏｂｉｌｉｔｙ）サポートは必須である。したがって、端末は、現在サービスを提供するサービングセル（ｓｅｒｖｉｎｇ  ｃｅｌｌ）に対する品質及び隣接セルに対する品質を持続的に測定する。端末は、測定結果を適切な時間にネットワークに報告し、ネットワークは、ハンドオーバなどを介して端末に最適のモビリティを提供する。このような目的の測定を無線リソース管理測定（ＲＲＭ（ｒａｄｉｏ  ｒｅｓｏｕｒｃｅ  ｍａｎａｇｅｍｅｎｔ）ｍｅａｓｕｒｅｍｅｎｔ）という。
【０１４１】
端末は、モビリティサポートの目的以外に事業者がネットワークの運営に助けになることができる情報を提供するために、ネットワークが設定する特定目的の測定を実行し、その測定結果をネットワークに報告することができる。例えば、端末がネットワークが定めた特定セルのブロードキャスト情報を受信する。端末は、前記特定セルのセル識別子（Ｃｅｌｌ  Ｉｄｅｎｔｉｔｙ）（これを広域（Ｇｌｏｂａｌ）セル識別子ともいう）、前記特定セルが属する位置識別情報（例えば、Ｔｒａｃｋｉｎｇ  Ａｒｅａ  Ｃｏｄｅ）及び／またはその他のセル情報（例えば、ＣＳＧ（Ｃｌｏｓｅｄ  Ｓｕｂｓｃｒｉｂｅｒ  Ｇｒｏｕｐ）セルのメンバー可否）をサービングセルに報告することができる。
【０１４２】
移動中の端末は、特定地域の品質が非常に悪いということを測定を介して確認した場合、品質が悪いセルに対する位置情報及び測定結果をネットワークに報告することができる。ネットワークは、ネックワークの運営を助ける端末の測定結果の報告に基づき、ネットワークの最適化を試みることができる。
【０１４３】
周波数再使用（Ｆｒｅｑｕｅｎｃｙ  ｒｅｕｓｅ  ｆａｃｔｏｒ）は、１人移動通信システムにおいて、モビリティがほとんど同じ周波数バンドにある互いに異なるセル間に行われる。したがって、端末のモビリティをよく保障するためには、端末は、サービングセルの中心周波数と同じ中心周波数を有する周辺セルの品質及びセル情報を測定可能でなければならない。このようにサービングセルの中心周波数と同じ中心周波数を有するセルに対する測定をイントラ周波数測定（ｉｎｔｒａ−ｆｒｅｑｕｅｎｃｙ  ｍｅａｓｕｒｅｍｅｎｔ）という。端末は、イントラ周波数測定を実行し、測定結果をネットワークに適切な時間に報告することで、該当する測定結果の目的が達成されるようにする。
【０１４４】
移動通信事業者は、複数の周波数バンドを使用してネットワークを運用することもできる。複数の周波数バンドを介して通信システムのサービスが提供される場合、端末に最適のモビリティを保障するためには、端末は、サービングセルの中心周波数と異なる中心周波数を有する周辺セルの品質及びセル情報を測定可能でなければならない。このように、サービングセルの中心周波数と異なる中心周波数を有するセルに対する測定をインター周波数測定（ｉｎｔｅｒ−ｆｒｅｑｕｅｎｃｙ  ｍｅａｓｕｒｅｍｅｎｔ）という。端末は、インター周波数測定を実行し、測定結果をネットワークに適切な時間に報告可能でなければならない。
【０１４５】
端末が他のＲＡＴに基づくネットワークに対する測定をサポートする場合、基地局設定により該当ネックワークのセルに対する測定をすることもできる。このような測定をインターラジオ接近方式（ｉｎｔｅｒ−ＲＡＴ（Ｒａｄｉｏ  Ａｃｃｅｓｓ  Ｔｅｃｈｎｏｌｏｇｙ））測定という。例えば、ＲＡＴは、３ＧＰＰ標準規格に従うＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）及びＧＥＲＡＮ（ＧＳＭ（登録商標）  ＥＤＧＥ  Ｒａｄｉｏ  Ａｃｃｅｓｓ  Ｎｅｔｗｏｒｋ）を含むことができ、３ＧＰＰ２標準規格に従うＣＤＭＡ２０００システムも含むことができる。
【０１４６】
図８は、既存の測定実行方法を示す流れ図である。
【０１４７】
端末は、基地局から測定設定（ｍｅａｓｕｒｅｍｅｎｔ  ｃｏｎｆｉｇｕｒａｔｉｏｎ）情報を受信する（Ｓ８１０）。測定設定情報を含むメッセージを測定設定メッセージという。端末は、測定設定情報に基づいて測定を実行する（Ｓ８２０）。端末は、測定結果が測定設定情報内の報告条件を満たすと、測定結果を基地局に報告する（Ｓ８３０）。測定結果を含むメッセージを測定報告メッセージという。
【０１４８】
測定設定情報は、下記のような情報を含むことができる。
【０１４９】
（１）測定対象（Ｍｅａｓｕｒｅｍｅｎｔ  ｏｂｊｅｃｔ）情報：端末が測定を実行する対象に対する情報である。測定対象は、セル内測定の対象であるイントラ周波数測定対象、セル間測定の対象であるインター周波数測定対象、及びインターＲＡＴ測定の対象であるインターＲＡＴ測定対象のうち、少なくともいずれか一つを含む。例えば、イントラ周波数測定対象は、サービングセルと同じ周波数バンドを有する周辺セルを指示し、インター周波数測定対象は、サービングセルと異なる周波数バンドを有する周辺セルを指示し、インターＲＡＴ測定対象は、サービングセルのＲＡＴと異なるＲＡＴの周辺セルを指示することができる。
【０１５０】
（２）報告設定（Ｒｅｐｏｒｔｉｎｇ  ｃｏｎｆｉｇｕｒａｔｉｏｎ）情報：端末が測定結果をいつ報告するかに対する報告条件及び報告タイプ（ｔｙｐｅ）に対する情報である。報告条件は、測定結果の報告が誘発（ｔｒｉｇｇｅｒ）されるイベントや周期に対する情報を含むことができる。報告タイプは、測定結果をどのようなタイプに構成するかに対する情報である。
【０１５１】
（３）測定識別子（Ｍｅａｓｕｒｅｍｅｎｔ  ｉｄｅｎｔｉｔｙ）情報：測定対象と報告設定を関連させ、端末がどのような測定対象に対し、いつ、どのようなタイプに報告するかを決定するようにする測定識別子に対する情報である。測定識別子情報は、測定報告メッセージに含まれ、測定結果がどのような測定対象に対するものであり、測定報告がどのような報告条件に発生したかを示すことができる。
【０１５２】
（４）量的設定（Ｑｕａｎｔｉｔｙ  ｃｏｎｆｉｇｕｒａｔｉｏｎ）情報：測定単位、報告単位及び／または測定結果値のフィルタリングを設定するためのパラメータに対する情報である。
【０１５３】
（５）測定ギャップ（Ｍｅａｓｕｒｅｍｅｎｔ  ｇａｐ）情報：ダウンリンク送信またはアップリンク送信がスケジューリングされなくて、端末がサービングセルとのデータ送信に対する考慮無しで、測定に使われることができる区間である測定ギャップに対する情報である。
【０１５４】
端末は、測定手順を実行するために、測定対象リスト、測定報告設定リスト及び測定識別子リストを有している。
【０１５５】
３ＧＰＰ  ＬＴＥにおいて、基地局は、端末に一つの周波数バンドに対して一つの測定対象のみを設定することができる。３ＧＰＰ  ＴＳ  ３６．３３１  Ｖ８．５．０（２００９−０３）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ（Ｒｅｌｅａｓｅ８）”の５．５．４節によると、以下の表のような測定報告が誘発されるイベントが定義されている。
【０１５６】
【表１】
0005927344.tif 000003
【０１５７】
端末の測定結果が設定されたイベントを満たすと、端末は、測定報告メッセージを基地局に送信する。
【０１５８】
図９は、端末に設定された測定設定の一例を示す。
【０１５９】
まず、測定識別子１（９０１）は、イントラ周波数測定対象と報告設定１を連結している。端末は、セル内測定（ｉｎｔｒａ  ｆｒｅｑｕｅｎｃｙ  ｍｅａｓｕｒｅｍｅｎｔ）を実行し、報告設定１は、測定結果報告の基準及び報告タイプの決定に使われる。
【０１６０】
測定識別子２（９０２）は、測定識別子１（９０１）と同様に、イントラ周波数測定対象と連結されているが、イントラ周波数測定対象を報告設定２に連結している。端末は、測定を実行し、報告設定２は、測定結果報告の基準及び報告タイプの決定に使われる。
【０１６１】
測定識別子１（９０１）と測定識別子２（９０２）により、端末は、イントラ周波数測定対象に対する測定結果が報告設定１及び報告設定２のうちいずれか一つを満たしても、測定結果を送信する。
【０１６２】
測定識別子３（９０３）は、インター周波数測定対象１と報告設定３を連結している。端末は、インター周波数測定対象１に対する測定結果が報告設定１に含まれている報告条件を満たすと、測定結果を報告する。
【０１６３】
測定識別子４（９０４）は、インター周波数測定対象２と報告設定２を連結している。端末は、インター周波数測定対象２に対する測定結果が報告設定２に含まれている報告条件を満たすと、測定結果を報告する。
【０１６４】
一方、測定対象、報告設定及び／または測定識別子は、追加、変更及び／または削除が可能である。これは基地局が端末に新たな測定設定メッセージを送り、または測定設定変更メッセージを送ることによって指示することができる。
【０１６５】
図１０は、測定識別子を削除する例を示す。測定識別子２（９０２）が削除されると、測定識別子２（９０２）と関連された測定対象に対する測定が中断され、測定報告も送信されない。削除された測定識別子と関連された測定対象や報告設定は変更されない。
【０１６６】
図１１は、測定対象を削除する例を示す。インター周波数測定対象１が削除されると、端末は、関連された測定識別子３（９０３）も削除する。インター周波数測定対象１に対する測定が中断され、測定報告も送信されない。しかし、削除されたインター周波数測定対象１に関連された報告設定は、変更または削除されない。
【０１６７】
報告設定が除去されると、端末は、関連された測定識別子も除去する。端末は、関連された測定識別子により関連された測定対象に対する測定を中断する。しかし、削除された報告設定に関連された測定対象は、変更または削除されない。
【０１６８】
測定報告は、測定識別子、サービングセルの測定された品質及び周辺セル（ｎｅｉｇｈｂｏｒｉｎｇ  ｃｅｌｌ）の測定結果を含むことができる。測定識別子は、測定報告がトリガされた測定対象を識別する。周辺セルの測定結果は、周辺セルのセル識別子及び測定された品質を含むことができる。測定された品質は、ＲＳＲＰ（Ｒｅｆｅｒｅｎｃｅ  Ｓｉｇｎａｌ  Ｒｅｃｅｉｖｅｄ  Ｐｏｗｅｒ）及びＲＳＲＱ（Ｒｅｆｅｒｅｎｃｅ  Ｓｉｇｎａｌ  Ｒｅｃｅｉｖｅｄ  Ｑｕａｌｉｔｙ）のうち少なくとも一つを含むことができる。
【０１６９】
以下、ＭＢＭＳ（Ｍｕｌｔｉｍｅｄｉａ  Ｂｒｏａｄｃａｓｔ  ａｎｄ  Ｍｕｌｔｉｃａｓｔ  ｓｅｒｖｉｃｅ）に対して詳細に説明する。
【０１７０】
ＭＢＭＳのためのトランスポートチャネルＭＣＨチャネルは、論理チャネルＭＣＣＨチャネルまたはＭＴＣＨチャネルがマッピングされることができる。ＭＣＣＨチャネルは、ＭＢＭＳ関連ＲＲＣメッセージを送信し、ＭＴＣＨチャネルは、特定ＭＢＭＳサービスのトラフィックを送信する。同じＭＢＭＳ情報／トラフィックを送信する一つのＭＢＳＦＮ（ＭＢＭＳ  Ｓｉｎｇｌｅ  Ｆｒｅｑｕｅｎｃｙ  Ｎｅｔｗｏｒｋ）地域毎に一つのＭＣＣＨチャネルがあり、複数のＭＢＳＦＮ地域が一つのセルで提供される場合、端末は、複数のＭＣＣＨチャネルを受信することもできる。特定ＭＣＣＨチャネルでＭＢＭＳ関連ＲＲＣメッセージが変更される場合、ＰＤＣＣＨチャネルは、Ｍ−ＲＮＴＩ（ＭＢＭＳ  Ｒａｄｉｏ  Ｎｅｔｗｏｒｋ  Ｔｅｍｐｏｒａｒｙ  Ｉｄｅｎｔｉｔｙ）と特定ＭＣＣＨチャネルを指示する指示子を送信する。ＭＢＭＳをサポートする端末は、前記ＰＤＣＣＨチャネルを介してＭ−ＲＮＴＩとＭＣＣＨ指示子を受信することで、特定ＭＣＣＨチャネルでＭＢＭＳ関連ＲＲＣメッセージが変更されたことを把握し、前記特定ＭＣＣＨチャネルを受信することができる。ＭＣＣＨチャネルのＲＲＣメッセージは、変更周期毎に変更されることができ、反復周期毎に反復的に放送される。
【０１７１】
端末は、ＭＢＭＳサービスの提供を受ける間、専用サービス（Ｄｅｄｉｃａｔｅｄ  Ｓｅｒｖｉｃｅ）を受けることができる。例えば、あるユーザは、自分が有しているスマートフォンを介して、ＭＢＭＳサービスを介してＴＶを視聴すると同時に、前記スマートフォンを利用してＭＳＮまたはＳｋｙｐｅのようなＩＭ（ｉｎｓｔａｎｔ  ｍｅｓｓａｇｉｎｇ）サービスを利用してチャットすることができる。この場合、ＭＢＭＳサービスは、複数の端末が共に受信するＭＴＣＨを介して提供され、ＩＭサービスのようにそれぞれの端末に個別的に提供されるサービスは、ＤＣＣＨまたはＤＴＣＨのような専用ベアラ（ｄｅｄｉｃａｔｅｄ  ｂｅａｒｅｒ）を介して提供する。
【０１７２】
一地域で、ある基地局は、同時に複数の周波数を使用することができる。この場合、ネットワークは、無線リソースを効率的に使用するために、複数の周波数の中から一つを選択し、その周波数でのみＭＢＭＳサービスを提供し、そして、全ての周波数で各端末に専用ベアラを提供することができる。
【０１７３】
この場合、ＭＢＭＳサービスが提供されない周波数で専用ベアラを利用してサービスの提供を受けた端末が、ＭＢＭＳサービスの提供を受けたい場合、前記端末は、ＭＢＭＳが提供される周波数にハンドオーバされなければならない。そのために、端末は、ＭＢＭＳ関心指示子（ｉｎｔｅｒｅｓｔ  Ｉｎｄｉｃａｔｉｏｎ）を基地局に送信する。即ち、端末は、ＭＢＭＳサービスを受信したい場合、ＭＢＭＳ関心指示子（ｉｎｔｅｒｅｓｔ  ｉｎｄｉｃａｔｉｏｎ）を基地局に送信し、基地局は、前記指示を受けると、端末がＭＢＭＳサービスを受信したいと認識し、前記端末をＭＢＭＳが提供される周波数に移動させる。ここで、ＭＢＭＳ関心指示子は、端末がＭＢＭＳサービスを受信したいという情報を意味し、追加的にどの周波数に移動したいかに対する情報を含む。
【０１７４】
特定ＭＢＭＳサービスを受信しようとする端末は、まず、前記特定サービスが提供される周波数情報と放送時間情報を把握する。前記ＭＢＭＳサービスが既に放送中または放送を開始すると、端末は、前記ＭＢＭＳサービスが提供される周波数の優先順位を最も高く設定する。端末は、再設定された周波数優先順位情報を利用してセル再選択手順を実行することによって、ＭＢＭＳサービスを提供するセルに移動してＭＢＭＳサービスを受信する。
【０１７５】
端末がＭＢＭＳサービスを受信中であり、または受信に関心がある場合、及びＭＢＭＳサービスが提供される周波数にキャンプオンされる間、ＭＢＭＳサービスを受信することができる場合、再選択されたセルがＳＩＢ１３をブロードキャストしている状況で下記のような状況が持続する限り、ＭＢＭＳセッション間に該当周波数に最優先順位が適用されたと考慮することができる。
【０１７６】
−一つまたはそれ以上のＭＢＭＳ  ＳＡＩｓ（Ｓｅｒｖｉｃｅ  Ａｒｅａ  Ｉｄｅｎｔｉｔｉｅｓ）が該当サービスのＵＳＤ（Ｕｓｅｒ  Ｓｅｒｖｉｃｅ  Ｄｅｓｃｒｉｐｔｉｏｎ）に含まれていることがサービングセルのＳＩＢ１５により指示される場合
【０１７７】
−ＳＩＢ１５がサービングセル内で放送されず、該当周波数は、該当サービスのＵＳＤ内に含まれる場合
【０１７８】
以下、ＩＤＣ（ｉｎ−ｄｅｖｉｃｅ  ｃｏｅｘｉｓｔｅｎｃｅ）に対して説明する。
【０１７９】
ユーザが多様なネットワークに、いつ、どこでも接続するためには、一つの端末にＬＴＥ、ＷｉＦｉ、ブルートゥース（Ｂｌｕｅｔｏｏｔｈ（登録商標）；ＢＴ）等の無線通信システムのための送受信機をはじめとしてＧＮＳＳ（ｇｌｏｂａｌ  ｎａｖｉｇａｔｉｏｎ  ｓａｔｅｌｌｉｔｅ  ｓｙｓｔｅｍ）受信機を具備することができる。例えば、ＢＴ装備を利用してＶｏＩＰサービス、マルチメディアサービスを受けるためにＬＴＥとＢＴモジュールを装着した端末、トラフィック分散のためにＬＴＥとＷｉＦｉモジュールを装着した端末、位置情報を追加的に取得するために、ＧＮＳＳとＬＴＥモジュールを装着した端末などがある。
【０１８０】
前記の場合、一つの端末機内で複数の送受信機が近接していることで、一つの送信機で送信されるパワーの強度が異なる受信機の受信パワーより大きい場合が発生できる。フィルタ技術や使用周波数に間隔をおくことによって、二つの送受信機間の干渉（ＩＤＣ  ｉｎｔｅｒｆｅｒｅｎｃｅ）が発生することを防止することができる。しかし、複数の無線通信モジュールが一つの端末内で隣接周波数で動作するようになる場合、現在のフィルタ技術としては十分の干渉除去をできない。今後、端末内の複数個の無線通信モジュールのための送受信機の共存のためには前記問題を解決する必要がある。
【０１８１】
図１２は、ＬＴＥ、ＧＰＳ、ＢＴ／ＷｉＦｉが一つの端末内で共存するＩＤＣ環境で相互間に干渉が発生できる状況を示す。
【０１８２】
ＬＴＥモジュールと共存している他の通信モジュールとの協力（ｃｏｏｒｄｉｎａｔｉｏｎ）があるかどうか、ＩＤＣ干渉解決のために、ＬＴＥモジュールと基地局との協力があるかどうかによって、ＩＤＣ干渉回避（ａｖｏｉｄａｎｃｅ）は、大きく、三つのモードに分けられる。第一のモードは、共存通信モジュール間、そして、ＬＴＥとネットワークとの間にＩＤＣ干渉回避のために何らの協力がないモードである。この場合、ＬＴＥモジュールは、共存している他の通信モジュールに対する情報を知らないため、ＩＤＣ干渉によるサービス品質の低下を正しく処理することができない。第二のモードは、端末の内部で共存通信モジュール間の協力がある場合である。このモードでは共存するモジュール同士は相手方モジュールのｏｎ／ｏｆｆ状態、トラフィック送信状態などを知ることができる。しかし、端末とネットワークとの間には何らの協力がないモードである。第三のモードは、端末の内部で共存モジュール間協力だけでなく、端末とネットワークとの間にも協力が存在するモードである。このモードでは共存するモジュールが相手方モジュールのｏｎ／ｏｆｆ状態、トラフィック送信状態などを知ることができるだけでなく、端末がネットワークにＩＤＣ干渉状態を知らせることによって、ネットワークがＩＤＣ干渉を避けるための決定をして措置を行う。
【０１８３】
ＬＴＥモジュールは、前記のように端末の内部で他のモジュールとの協力だけでなく、インター／イントラ周波数測定を介してＩＤＣ干渉を測定することができる。
【０１８４】
干渉は、互いに異なる通信モジュールが一つの端末内で共存して動作することによって発生するＩＤＣ干渉であり、ＩＤＣ干渉は、下記のような共存状況で発生できる。
【０１８５】
−干渉は、ＬＴＥとＷｉＦｉが共存する状況で発生する。
【０１８６】
−干渉は、ＬＴＥとＢＴが共存する状況で発生する。
【０１８７】
−干渉は、ＬＴＥとＧＮＳＳが共存する状況で発生する。
【０１８８】
通信モジュールは、周波数側面で、下記のように隣接周波数で動作することによって相互干渉を与えることができる。
【０１８９】
ＬＴＥ  ＴＤＤがＢａｎｄ４０（２３００ＭＨｚ〜２４００ＭＨｚ）で動作し、ＷｉＦｉ、ＢＴが無認可帯域（ｕｎｌｉｃｅｎｓｅｄ  ｂａｎｄ）（２４００ＭＨｚ〜２４８３．５ＭＨｚ）で動作することができる。この場合、ＬＴＥの送信がＷｉＦｉ、ＢＴに干渉を与えることができ、ＷｉＦｉまたはＢＴの送信がＬＴＥの受信に干渉を与えることができる。
【０１９０】
ＬＴＥ  ＦＤＤがＢａｎｄ７（２５００ＭＨｚ〜２７００ＭＨｚ）でアップリンク送信をし、ＷｉＦｉ、Ｂｌｕｅｔｏｏｔｈ（登録商標）は、ｕｎｌｉｃｅｎｓｅｄ  ｂａｎｄ（２４００ＭＨｚ〜２４８３．５ＭＨｚ）で動作することができる。この場合、ＬＴＥのアップリンク送信がＷｉＦｉまたはＢｌｕｅｔｏｏｔｈ（登録商標）の受信に干渉を与えることができる。
【０１９１】
ＬＴＥ  ＦＤＤがＢａｎｄ１３（ＵＬ：７７７−７８７ＭＨｚ、ＤＬ：７４６−７５６ＭＨｚ）またはＢａｎｄ１４（ＵＬ：７８８−７９８ＭＨｚ、ＤＬ：７５８−７６８ＭＨｚ）でアップリンク送信をし、ＧＰＳ  ｒａｄｉｏが１５７５．４２ＭＨｚで受信することができる。この場合、ＬＴＥのアップリンク送信のＧＰＳの受信に干渉を与えることができる。
【０１９２】
現在、３ＧＰＰでは、ＩＤＣ干渉を解決するために、大きく、二つの方向を考慮している。第一は、干渉をあたえる通信モジュールがまたは干渉を受ける通信モジュールが周波数を変更する方法（Ｆｒｅｑｕｅｎｃｙ  Ｄｉｖｉｓｉｏｎ  Ｍｕｌｔｉｐｌｅｘｉｎｇ（ＦＤＭ））である。第二は、一つの周波数を共存する通信モジュールが時間を分割して使用する方法（Ｔｉｍｅ  Ｄｉｖｉｓｉｏｎ  Ｍｕｌｔｉｐｌｅｘｉｎｇ（ＴＤＭ））である。
【０１９３】
端末は、端末内のＬＴＥ装置と端末内の他のＩＳＭ帯域装置との間の内部干渉、即ち、ＩＤＣ干渉が検知されると、ＩＤＣ指示子をネットワークに送信することができる。ＩＤＣ指示子は、端末がＩＤＣ干渉を経験したことを指示することができる。ＩＤＣ指示子は、特定周波数及び／または時間区間パターンに対する情報を含むことができる。ここで、特定周波数情報は、ＩＤＣ干渉問題を解決するためにＦＤＭの実行に基盤になることができ、特定時間区間パターンに対する情報は、ＴＤＭの実行に基盤になることができる。特定周波数情報は、ＩＤＣ干渉が発生した周波数を指示することができ、特定時間区間パターン情報は、他のＩＳＭバンド装置の動作によってＩＤＣ干渉が発生する時間区間を指示することができる。
【０１９４】
以下、ＥＤＤＡ（Ｅｎｈａｎｃｅｍｅｎｔ  Ｄｉｖｅｒｓｉｔｙ  ｏｆ  Ｄａｔａ  Ａｐｐｌｉｃａｔｉｏｎ）及びパワー選好指示子（ｐｏｗｅｒ  ｐｒｅｆｅｒｅｎｃｅ  ｉｎｄｉｃａｔｉｏｎ）に対して説明する。
【０１９５】
端末側で駆動中であるデータアプリケーションのダイバーシティ（ｄｉｖｅｒｓｉｔｙ）によって、端末パワー（ＵＥ  ｐｏｗｅｒ）及び端末性能（ＵＥ  ｐｅｒｆｏｒｍａｎｃｅ）側面で最適化された設定が難しい。その理由は、ネットワークが端末上で駆動中であるアプリケーションに対する状態を完全に把握することができないためである。これを補完するために、無線通信システムでは、端末が‘デフォルト’（パワーセーブ側面で）ＤＲＸ（Ｄｉｓｃｏｎｔｉｎｕｏｕｓ  Ｒｅｃｅｐｔｉｏｎ）設定または“低いパワー消耗”ＤＲＸ設定に対する選好度を示す指示子をネットワークに送信することができるようにする。このような指示子を‘パワー選好指示子’という。パワー選好指示子は、端末がパワーセーブのために、優先的に最適化された設定を選好するかどうかに対して指示することができるように設定されることができる。
【０１９６】
ネットワークは、パワー選好指示子を受信し、それによって、端末の運営と関連したパラメータを設定し、端末に提供できる。パワーセーブのために、優先的に最適化された設定を選好することを指示するパワー選好指示子を受信した場合、ネットワークは、端末に長いＤＲＸを設定し、または端末をＩＤＬＥ状態に進入させることができる。パワーセーブのために、優先的に最適化された設定を選好することを明示的に指示するパワー選好指示子を受信する前までは、ネットワークは、端末がパワーセーブ運営を選好しないと考慮して運営できる。
【０１９７】
前述したＩＤＣ指示子、ＭＢＭＳ関心指示子及びパワー選好指示子のような端末発の指示子が頻繁に送信される場合、ネットワーク運営の効率性が低下され、端末に提供されるサービス劣化が発生されることができる。頻繁な端末発の指示子の送信を制限するために、禁止タイマ（ｐｒｏｈｉｂｉｔ  ｔｉｍｅｒ）が提案された。禁止タイマは、端末が端末発の指示子を送信した時点から端末発の指示子を再び送信することができない時間を特定することができる。以下、端末発の指示子と関連したシグナリング方法に対して説明する。
【０１９８】
図１３は、本発明の実施例に係る端末発の指示子のシグナリング方法を示す流れ図である。
【０１９９】
図１３を参照すると、ネットワークは、端末に端末発の指示子設定を送信する（Ｓ１３１０）。端末発の指示子設定は、端末の端末発の指示子の送信を可能にし、または端末発の指示子の送信をトリガすることができる。
【０２００】
端末発の指示子設定は、端末にとってＩＤＣ指示子及び／またはパワー選好指示子の送信を可能にする。この場合、端末発の指示子設定は、ＲＲＣ接続設定メッセージ、ＲＲＣ接続再設定メッセージ及び／またはハンドオーバ指示メッセージに含まれて送信されることができる。
【０２０１】
端末発の指示子設定は、ＭＢＭＳサービスが提供されを知らせることであり、端末がＭＢＭＳ関心指示子を送信するようにトリガさせることである。この場合、端末発の指示子設定は、システム情報に含まれて送信されることができる。
【０２０２】
端末発の指示子設定は、端末発の指示子を送信する時に駆動させる禁止タイマの設定値を指示する情報を含むことができる。
【０２０３】
端末発の指示子設定は、複数の種類の端末発の指示子に対して独立的に送信されることができる。例えば、ＩＤＣ指示子に対するＩＤＣ指示子設定、パワー選好指示子に対するパワー選好指示子設定及びＭＢＭＳ関心指示子に対するＭＢＭＳ関心指示子設定が個別的に生成されて送信されることができる。この場合、禁止タイマ設定値は、各類型の端末発の指示子に対して個別的に設定されることができる。
【０２０４】
端末発の指示子設定は、複数の種類の端末発の指示子に対して共通的に送信されることができる。この場合、端末発の指示子設定には、各端末発の指示子による個別的な禁止タイマ値が含まれ、または複数の種類の端末発の指示子に対して共通に適用される禁止タイマ設定値が含まれることもできる。
【０２０５】
端末は、端末発の指示子をネットワークに送信し（Ｓ１３２１）、禁止タイマを開始及び／または再開始する（Ｓ１３２２）。
【０２０６】
端末発の指示子がＩＤＣ指示子の場合、端末は、ＩＤＣ指示子をＩＤＣ指示メッセージに含ませて送信することができる。
【０２０７】
端末発の指示子がＭＢＭＳ関心指示子の場合、端末は、ＭＢＭＳ関心指示子をＭＢＭＳ関心指示メッセージに含ませて送信することができる。
【０２０８】
端末発の指示子がパワー選好指示子の場合、端末は、パワー選好指示子を端末支援情報メッセージ（ＵＥ  ａｓｓｉｓｔａｎｃｅ  ｉｎｆｏｒｍａｔｉｏｎ  ｍｅｓｓａｇｅ）に含ませて送信することができる。端末関心指示子は、端末がパワーセーブ運営に対して関心があるか、または一般運営に関心があるかを指示することができる。
【０２０９】
パワー選好指示子の送信と関連した禁止タイマの動作において、パワー選好指示子が一般運営を選好することを指示する場合に限り、パワー選好指示子送信により禁止タイマを開始及び／または再開始するように設定されることができる。パワー選好指示子がパワーセーブ運営を選好することを指示すると、端末は、パワー選好指示子を送信しても、禁止タイマを開始及び／または再開始しない。
【０２１０】
端末が駆動させる禁止タイマは、端末発の指示子設定に含まれている禁止タイマ設定値に設定されて駆動されることができる。本例示では、単一端末発の指示子に対する例示として一つの禁止タイマが駆動されるが、本発明の実施例は、ここに限定されるものではない。各種類の端末発の指示子に対して個別禁止タイマがサポートされる場合、端末発の指示子に対応される個別禁止タイマが駆動されることができる。
【０２１１】
例えば、端末がＩＤＣ指示子を送信した場合、端末は、ＩＤＣ指示子のための禁止タイマを開始及び／または再開始することができる。個別的な禁止タイマは、各々、異なる値に設定されることができる。
【０２１２】
他の例示として、複数の種類の端末発の指示子に対する共通の禁止タイマが設定される場合、どのような種類の端末発の指示子を送信しても、端末は、同じ値に設定された禁止タイマを開始及び／または再開始する。
【０２１３】
禁止タイマを開始／再開始する時点は、端末発の指示子の送信直後に実行され、または端末発の指示子の送信時、または端末発の指示子を送信前の端末発の指示子を送信するための設定中にも実行されることができる。以下、禁止タイマは、端末発の指示子の送信と関連して開始／再開始されると叙述されるが、この場合、禁止タイマの開始／再開始時点は、前述したように、多様な時点で解釈されることができる。禁止タイマの開始／再開始時点は、端末の具現に従う。
【０２１４】
端末は、禁止タイマが動作する持続時間内には端末発の指示子を送信しない（Ｓ１３３１）。端末は、禁止タイマが満了された後、端末発の指示子を送信することができる（Ｓ１３３２）。
【０２１５】
禁止タイマの駆動と関連したパワー選好指示子の送信方法において、端末は、パワー選好指示子を送信するように設定されたにもかかわらず、パワー選好指示子を含む端末支援情報メッセージを送信しない場合、パワー選好指示子を送信することができる。また、禁止タイマが満了された以後でも、パワー選好指示子が最近送信された端末支援情報メッセージに含まれているパワー選好指示子が指示するものと異なる場合、端末は、パワー選好指示子を端末支援情報メッセージに含ませて送信することができる。
【０２１６】
各種類の端末発の指示子による禁止タイマが定義される場合、端末は、該当する禁止タイマが駆動中である場合に限り、関連した端末発の指示子を送信しない。それに対し、複数の種類の端末発の指示子に共通に適用されることができる禁止タイマが定義される場合、該当禁止タイマの駆動時、端末は、どのような端末発の指示子も送信しない。
【０２１７】
端末が端末発の指示子を送信し、禁止タイマが駆動中である状況で、ＲＲＣ接続と関連した手順及び／またはハンドオーバ手順中、端末は、端末発の指示子設定を新たに取得することができる。この場合、既に駆動中である禁止タイマに対する処理方法が問題になる。
【０２１８】
また、ネットワークが端末の運営方法を再設定し、または端末がハンドオーバを介してターゲットセルに移動し、または端末がネットワークとＲＲＣ接続再確立を実行することができる。前記のような手順を実行中及び前記のような手順が完了した後、禁止タイマの運営及び端末発の指示子の送信と関連した端末の具体的な動作方法が提案される必要がある。
【０２１９】
以下、本発明の実施例に係る端末発の指示子関連シグナリング方法に対して詳細に説明する。
【０２２０】
１．端末発の指示子設定を含むＲＲＣ接続再設定メッセージを受信した場合：端末は、端末発の指示子を送信し、それによって、禁止タイマを駆動することができる。端末は、ＲＲＣ接続再設定メッセージを受信し、新たな端末発の指示子設定がＲＲＣ接続再設定メッセージに含まれることができる。この場合、端末は、下記のように動作できる。
【０２２１】
ａ）ＲＲＣ接続再設定メッセージを受信して端末発の指示子設定を取得した場合、端末は、駆動中である禁止タイマを直ちに再開始することができる。新たに取得された端末発の指示子設定が禁止タイマ値を含む場合、端末は、禁止タイマの値を指示された新たな値に設定して再開始することができる。新たに取得された端末発の指示子設定が禁止タイマ値を含まない場合、端末は、禁止タイマの値を既存値に設定して再開始することができる。
【０２２２】
ｂ）ＲＲＣ接続再設定メッセージを受信して端末発の指示子設定を取得した場合、端末は、駆動中である禁止タイマを持続的に動作させることができる。既存動作中である禁止タイマが満了されると、端末は、満了の際直ちに新たに禁止タイマを再開始することができる。新たに取得された端末発の指示子設定が禁止タイマ値を含む場合、端末は、再開始される禁止タイマの値を指示された新たな値に設定して再開始することができる。新たに取得された端末発の指示子設定が禁止タイマ値を含まない場合、端末は、再開始される禁止タイマの値を既存値に設定して再開始することができる。
【０２２３】
ｃ）ＲＲＣ接続再設定メッセージを受信して端末発の指示子設定を取得した場合、端末は、駆動中である禁止タイマを中断させることができる。
【０２２４】
前記のような端末の動作によると、端末は、禁止タイマが満了／中断された時、端末発の指示子を送信することができる。
【０２２５】
２．端末がハンドオーバを実行する場合：禁止タイマの駆動中に端末がハンドオーバを実行する場合、端末は、下記のように動作できる。
【０２２６】
（１）ハンドオーバ指示メッセージが端末発の指示子設定を含まない場合
【０２２７】
ａ）端末は、ハンドオーバ実行中及びハンドオーバ終了後にも、既存駆動中である禁止タイマを持続的に動作させることができる。端末は、ハンドオーバ実行中またはハンドオーバ終了後に禁止タイマが満了されると、端末発の指示子を送信することができる。
【０２２８】
ｂ）端末は、ハンドオーバ指示メッセージを受信すると、直ちに禁止タイマを再開始することができる。再開始される禁止タイマの値は、既存禁止タイマの値に設定されることができる。
【０２２９】
ｃ）端末は、ハンドオーバ指示メッセージを受信すると、直ちに禁止タイマを中断することができる。そして、端末は、ハンドオーバが完了した後、禁止タイマを再開始することができる。端末は、ハンドオーバ中に禁止タイマが中断されていても、禁止タイマが駆動中であると仮定する。即ち、端末は、ハンドオーバ中には端末発の指示子を送信しない。
【０２３０】
（２）ハンドオーバ指示メッセージが端末発の指示子設定を含む場合
【０２３１】
ａ）ハンドオーバ指示メッセージを受信して端末発の指示子設定を取得した場合、端末は、駆動中である禁止タイマを直ちに再開始することができる。新たに取得された端末発の指示子設定が禁止タイマ値を含む場合、端末は、禁止タイマの値を指示された新たな値に設定して再開始することができる。新たに取得された端末発の指示子設定が禁止タイマ値を含まない場合、端末は、禁止タイマの値を既存値に設定して再開始することができる。
【０２３２】
ｂ）ハンドオーバ指示メッセージを受信して端末発の指示子設定を取得した場合、端末は、駆動中である禁止タイマを持続的に動作させることができる。既存動作中である禁止タイマが満了されると、端末は、満了の際直ちに新たに禁止タイマを再開始することができる。新たに取得された端末発の指示子設定が禁止タイマ値を含む場合、端末は、再開始される禁止タイマの値を指示された新たな値に設定して駆動させることができる。新たに取得された端末発の指示子設定が禁止タイマ値を含まない場合、端末は、再開始される禁止タイマの値を既存値に設定して駆動させることができる。
【０２３３】
ｃ）ハンドオーバ指示メッセージを受信して端末発の指示子設定を取得した場合、端末は、駆動中である禁止タイマを中断することができる。
【０２３４】
３．ＲＲＣ接続再確立の場合：端末が無線リンク失敗のような理由で、ネットワークとＲＲＣ接続を再確立するようになる場合、禁止タイマ及び端末発の指示子の送信と関連した端末の動作に対する議論が必要である。
【０２３５】
（１）既存禁止タイマが駆動中である場合
【０２３６】
ａ）端末は、ＲＲＣ接続再確立手順を開始すると、直ちに禁止タイマを中断する。禁止タイマを中断する時点は、端末がＲＲＣ接続再確立要求メッセージをネットワークに送信時、またはネットワークからＲＲＣ接続再確立メッセージを受信した時点である。禁止タイマが動作中でない場合も、端末は、端末発の指示子の送信をしない。
【０２３７】
ｂ）端末は、ＲＲＣ接続再確立手順中及びＲＲＣ接続再確立手順完了以後も持続的に既存禁止タイマを駆動させる。端末は、禁止タイマが駆動中には端末発の指示子を送信しない。
【０２３８】
ｃ）端末は、ＲＲＣ接続再確立手順を開始する時、直ちに禁止タイマを再開始することができる。再開始される禁止タイマの設定値は、既存禁止タイマの値と同じである。ＲＲＣ接続再確立メッセージを受信し、禁止タイマを再開始する場合、ＲＲＣ接続再確立メッセージに禁止タイマ設定値が含まれている場合、含まれている値に禁止タイマを設定して再開始することができる。
【０２３９】
ｄ）ＲＲＣ接続再確立手順を開始すると、端末は、駆動中である禁止タイマを中断することができる。既存動作中の禁止タイマが満了されると、端末は、満了の際直ちに禁止タイマを再開始することができる。端末は、ＲＲＣ接続再確立手順中に禁止タイマが中断されていても、禁止タイマが駆動中であると仮定する。即ち、端末は、ハンドオーバ中には端末発の指示子を送信しない。
【０２４０】
（２）禁止タイマが駆動中でない場合
【０２４１】
端末は、ＲＲＣ接続再確立手順を開始すると、端末発の指示子の送信をしない。
【０２４２】
以下、本発明の実施例に対して図面を参照してより詳細に説明する。
【０２４３】
図１４は、本発明の実施例に係る端末発の指示子のシグナリング方法の一例を示す。
【０２４４】
図１４の例示は、端末のＩＤＣ指示子送信と関連したシグナリング方法の例示である。
【０２４５】
図１４を参照すると、端末は、ネットワークからＩＤＣ指示子設定を受信する（Ｓ１４１０）。ＩＤＣ指示子設定は、端末のＩＤＣ指示子送信が許容されることを指示することができる。ＩＤＣ指示子設定は、ＩＤＣ干渉検知に対応して端末の低干渉運営のための自律排除パターン情報を含むことができる。ＩＤＣ指示子設定は、端末がＩＤＣ指示子を送信することによって開始／再開始されることができる禁止タイマの設定値を指示する情報を含むことができる。
【０２４６】
端末は、ＩＤＣ干渉が発生したことを検知し（Ｓ１４２１）、ＩＤＣ指示子をネットワークに送信する（Ｓ１４２２）。ＩＤＣ指示子を送信した端末は、禁止タイマを開始する（Ｓ１４２３）。禁止タイマは、ＩＤＣ指示子設定に含まれている情報により指示された値に設定されることができる。
【０２４７】
禁止タイマが駆動中、端末は、ＩＤＣ指示子設定を含むＲＲＣ接続再設定メッセージを受信する（Ｓ１４３０）。ＲＲＣ接続再設定メッセージは、ＩＤＣ指示子設定を含むことができる。
【０２４８】
端末は、新たなＩＤＣ指示子設定を受信しても、既存駆動中である禁止タイマを持続的に動作させる。既存禁止タイマが満了されると、端末は、禁止タイマを再開始する（Ｓ１４４１）。新たに開始された禁止タイマの値は、既存禁止タイマと同じ値に設定されることができる。Ｓ１４３０ステップを介して新たに取得されたＩＤＣ設定が禁止タイマ設定値を指示する情報を含む場合、新たに開始された禁止タイマの値は、指示された値に設定されることができる。再開始された禁止タイマは、設定された値による時間が経過すると、満了される。（Ｓ１４４１）。
【０２４９】
禁止タイマが満了されると、端末は、ＩＤＣ干渉検知時、ＩＤＣ指示子をネットワークに送信することができる（Ｓ１４５１）。端末は、ＩＤＣ指示子の送信によって禁止タイマを開始することができる（Ｓ１４５２）。
【０２５０】
図１５は、本発明の実施例に係る端末発の指示子のシグナリング方法の他の一例を示す。
【０２５１】
図１５の例示は、端末のパワー選好指示子送信と関連したシグナリング方法の例示である。
【０２５２】
図１５を参照すると、端末は、ネットワークからパワー選好指示子設定を受信する（Ｓ１５１０）。パワー指示子設定は、端末のパワー指示子送信が許容されることを指示することができる。パワー選好指示子設定は、端末がパワー選好指示子を送信することによって開始／再開始されることができる禁止タイマの設定値を指示する情報を含むことができる。
【０２５３】
端末は、パワー選好指示子を含む端末支援情報メッセージを送信し（Ｓ１５２１）、禁止タイマを開始する（Ｓ１５２２）。端末は、パワー選好指示子設定を取得し、パワー選好指示子を含む端末支援情報メッセージを送信したことがないため、端末支援情報メッセージを送信することができる。端末は、パワー選好指示子が一般運営を選好することを指示するように設定して送信し、それによって、禁止タイマを開始することができる。
【０２５４】
禁止タイマが駆動中、端末は、ハンドオーバを実行することができる（Ｓ１５３０）。端末は、ハンドオーバ指示メッセージをネットワークから受信する（Ｓ１５３１）。ハンドオーバ指示メッセージは、移動制御情報を含むＲＲＣ接続再設定メッセージである。ハンドオーバ指示メッセージは、パワー選好指示子設定を含むことができる。
【０２５５】
ハンドオーバ手順が完了した後、端末は、パワー選好指示子を含む端末支援情報メッセージをネットワークに送信し（Ｓ１５４１）、禁止タイマを再開始する（Ｓ１５４２）。ハンドオーバ手順後、端末支援情報メッセージを送信することは、以前端末支援情報メッセージ送信時点と関連がある。即ち、Ｓ１５２１ステップで、端末が端末支援情報メッセージを送信した時点がハンドオーバ指示メッセージを受信した時点以前の特定時間区間内に該当すると、端末は、ハンドオーバ終了後にパワー選好指示子を含む端末支援情報メッセージを送信することができる。特定時間区間は、ハンドオーバ指示メッセージを受信した時点から以前１秒間である。
【０２５６】
端末が送信する端末支援情報メッセージのパワー選好指示子は、一般運営を選好することを指示することができる。それによって、禁止タイマが再開始されることができる。端末が送信する端末支援情報メッセージのパワー選好指示子がパワーセーブ運営を選好することを指示すると、端末は、禁止タイマを再開始しない。
【０２５７】
再開始された禁止タイマの値は、既存禁止タイマと同じ値に設定されることができる。Ｓ１５３１ステップを介して新たに取得されたパワー選好指示子設定が禁止タイマ設定値を指示する情報を含む場合、再開始された禁止タイマの値は、指示された値に設定されることができる。
【０２５８】
再開始された禁止タイマは、設定された値による時間が経過すると、満了される（Ｓ１５５０）。
【０２５９】
禁止タイマが満了されると、端末は、パワー選好指示子を含む端末支援情報メッセージを送信することができる（Ｓ１５６０）。パワー選好指示子は、Ｓ１５４１ステップで送信されたパワー選好指示子が指示するものと異なる運営技法を選好することを指示することができる。例えば、Ｓ１５４１ステップで送信されたパワー選好指示子が一般運営を選好することを指示すると、Ｓ１５６０ステップで送信されるパワー選好指示子は、パワーセーブ運営を選好することを指示することができる。この場合、端末は、Ｓ１５６０ステップでの端末支援情報メッセージの送信にもかかわらず、禁止タイマを開始／再開始しない。
【０２６０】
図１６は、本発明の実施例に係る端末発の指示子のシグナリング方法の他の例示を示す流れ図である。
【０２６１】
図１６の例示は、端末のパワー選好指示子送信と関連したシグナリング方法の例示である。
【０２６２】
図１６を参照すると、端末は、ネットワークからパワー選好指示子設定を受信する（Ｓ１６１０）。パワー指示子設定は、端末のパワー指示子送信が許容されることを指示することができる。パワー指示子設定は、端末がパワー選好指示子を送信することによって開始／再開始されることができる禁止タイマの値を指示する情報を含むことができる。
【０２６３】
端末は、パワー選好指示子を含む端末支援情報メッセージを送信し（Ｓ１６２１）、禁止タイマを開始する（Ｓ１６２２）。端末は、パワー選好指示子設定を取得し、パワー選好指示子を含む端末支援情報メッセージを送信したことがないため、端末支援情報メッセージを送信することができる。端末は、パワー選好指示子が一般運営を選好することを指示するように設定し、それによって、禁止タイマを開始することができる。
【０２６４】
禁止タイマが駆動中、無線リンク失敗のような理由で、ＲＲＣ接続再確立が必要である。この場合、端末は、ネットワークとリンク回復のためのＲＲＣ接続再確立手順を実行することができる。
【０２６５】
端末は、ＲＲＣ接続再確立要求メッセージをネットワークに送信することによってＲＲＣ接続再確立手順を開始する（Ｓ１６３１）。ＲＲＣ接続再確立手順の開始時、端末は、駆動中である禁止タイマを中断する（Ｓ１６３２）。また、端末は、自分に設定されたパワー選好指示子設定を解除することができる。それによって、ＲＲＣ接続再確立手順の開始時に端末のパワー選好指示子送信が不可となる。
【０２６６】
以後、ＲＲＣ接続再確立手順は、ネットワークからＲＲＣ接続再確立メッセージを受信し（Ｓ１６３３）、ＲＲＣ接続再確立完了メッセージをネットワークに送信することによって（Ｓ１６３４）完了することができる。
【０２６７】
リンク回復以後、端末がパワー選好指示子を送信するようにするために、ネットワークは、パワー選好指示子設定を送信することができる。リンク回復の際直ちに指示子送信が可能に、ネットワークは、ＲＲＣ接続再確立メッセージにパワー選好指示子を含ませて送信することができる。端末は、ＲＲＣ接続再確立手順が完了すると、中断された禁止タイマを開始及び／または再開始することができ、禁止タイマが満了されると、パワー選好指示子を含む端末支援情報メッセージをネットワークに送信することができる。
【０２６８】
本発明の実施例によると、禁止タイマを駆動させることによって、端末発の指示子の送信が効率的に制御されることができる。これは無分別な端末発の指示子の送信を防ぐことで、無線リソースが浪費されることを防止することができ、端末発の指示子は、ネットワークに提供されることで、端末の動作のための最適化された設定情報が提供されることができる。
【０２６９】
本発明の実施例により端末発の指示子のシグナリングを制御する制御タイマは、端末とネットワークとの間の相互手順中に適切に制御されることができる。それによって、端末発の指示子の送信がより流動的に実行され、ネットワークは、端末に最適化された設定情報を効率的に提供することができる。
【０２７０】
図１７は、本発明の実施例が具現される無線装置を示すブロック図である。この装置は、図１３ないし図１６を参照して前述した本発明の実施例に係るシグナリング方法を具現するように設定されることができる。
【０２７１】
図１７を参照すると、無線装置１７００は、プロセッサ１７１０、メモリ１７２０及びＲＦ部（ｒａｄｉｏ  ｆｒｅｑｕｅｎｃｙ  ｕｎｉｔ）１７３０を含む。プロセッサ１７１０は、提案された機能、過程及び／または方法を具現する。プロセッサ１７１０は、ネットワークとの相互作用によって禁止タイマを制御するように設定されることができる。プロセッサ１７１０は、禁止タイマの動作可否によって、端末発の指示子をネットワークに送信するように設定されることができる。プロセッサ１７１０は、図面を参照して詳述した本発明の実施例に係る端末発の指示子のシグナリング方法を実行するように設定されることができる。
【０２７２】
ＲＦ部１７３０は、プロセッサ１７１０と連結されて無線信号を送信及び受信する。
【０２７３】
プロセッサは、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリは、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部は、無線信号を処理するためのベースバンド回路を含むことができる。実施例がソフトウェアで具現される時、前述した技法は、前述した機能を遂行するモジュール（過程、機能など）で具現されることができる。モジュールは、メモリに格納され、プロセッサにより実行されることができる。メモリは、プロセッサの内部または外部にあり、よく知られた多様な手段でプロセッサと連結されることができる。
【０２７４】
前述した例示的なシステムにおいて、方法は、一連のステップまたはブロックで流れ図に基づいて説明されているが、本発明は、ステップの順序に限定されるものではなく、あるステップは、前述と異なるステップと、異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
0005927344.tif 000004
【図２】
0005927344.tif 000005
【図３】
0005927344.tif 000006
【図４】
0005927344.tif 000007
【図５】
0005927344.tif 000008
【図６】
0005927344.tif 000009
【図７】
0005927344.tif 000010
【図８】
0005927344.tif 000011
【図９】
0005927344.tif 000012
【図１０】
0005927344.tif 000013
【図１１】
0005927344.tif 000014
【図１２】
0005927344.tif 000015
【図１３】
0005927344.tif 000016
【図１４】
0005927344.tif 000017
【図１５】
0005927344.tif 000018
【図１６】
0005927344.tif 000019
【図１７】
0005927344.tif 000020